(57)【要約】【課題】デシカントローターの除湿機能を再生させる加熱空気が有する交換熱を再利用し、その交換熱をヒートポンプの回路に利用することができる除湿システムを提供する。【解決手段】除湿システム１０Ａは、デシカント空調機１１と第１〜第４熱交換機構１２〜１５とヒーター１６とデシカントローター１７と外調機１８とを備え、湿度が低い除湿空気を作り、その除湿空気を除湿空調空間に給気する。除湿システム１０Ａでは、第２熱交換機構１３によって回収された交換熱を冷媒を利用して熱交換器３０に供給し、その交換熱を第１熱交換機構１２における空気の加熱に利用する。【選択図】図１
2015145000.tif 000002
【特許請求の範囲】
【請求項１】
除湿空気を作る除湿処理ゾーンと、除湿機能を再生する除湿機能再生ゾーンと、除湿剤を有して前記除湿処理ゾーンおよび前記除湿機能再生ゾーンに配置された除湿機構と、前記除湿機構の上流側における前記除湿機能再生ゾーンに配置され、ヒートポンプを利用して該除湿機構に給気する空気を加熱する第１熱交換機構とを備え、前記第１熱交換機構によって所定温度に加熱された加熱空気を前記除湿機能再生ゾーンに位置する前記除湿機構に給気して前記除湿剤の除湿機能を再生しつつ、前記除湿処理ゾーンに位置する前記除湿機構を利用して作られた除湿空気を除湿空調空間に給気する除湿システムにおいて、
前記除湿システムが、前記除湿機能再生ゾーンに位置する除湿機構の下流側に配置された第２熱交換機構を含み、前記第２熱交換機構が、前記第１熱交換機構と熱交換を行う熱交換器から供給された冷媒を利用して前記除湿機能再生ゾーンの除湿機構を通流した加熱空気の交換熱を回収し、
前記除湿システムでは、前記第２熱交換機構によって回収された交換熱を前記冷媒を利用して該第２熱交換機構から前記熱交換器に供給し、その交換熱を前記第１熱交換機構における空気の加熱に利用することを特徴とする除湿システム。
【請求項２】
前記除湿システムが、前記除湿処理ゾーンに位置する除湿機構の上流側に配置され、該除湿処理ゾーンの除湿機構に給気する空気の温度を低下させる第３熱交換機構を含み、前記除湿システムでは、前記熱交換器で作られた冷熱を前記冷媒を利用して該熱交換器から前記第３熱交換機構に供給し、その冷熱を前記第３熱交換機構における空気の冷却に利用するとともに、前記第３熱交換機構によって空気から回収された交換熱を前記冷媒を利用して該第３熱交換機構から前記熱交換器に供給し、その交換熱を前記第１熱交換機構における空気の加熱に利用する請求項１に記載の除湿システム。
【請求項３】
前記除湿システムが、前記除湿処理ゾーンに位置する除湿機構の下流側に配置され、該除湿処理ゾーンの除湿機構によって作られた除湿空気の温度を低下させる第４熱交換機構を含み、前記除湿システムでは、前記熱交換器で作られた冷熱を前記冷媒を利用して該熱交換器から前記第４熱交換機構に供給し、その冷熱を前記第４熱交換機構における除湿空気の冷却に利用するとともに、前記第４熱交換機構によって除湿空気から回収された交換熱を前記冷媒を利用して該第４熱交換機構から前記熱交換器に供給し、その交換熱を前記第１熱交換機構における空気の加熱に利用する請求項１または請求項２に記載の除湿システム。
【請求項４】
除湿空気を作る除湿処理ゾーンと、除湿機能を再生する除湿機能再生ゾーンと、除湿剤を有して前記除湿処理ゾーンおよび前記除湿機能再生ゾーンに配置された除湿機構と、前記除湿機構の上流側における前記除湿機能再生ゾーンに配置され、ヒートポンプを利用して該除湿機構に給気する空気を加熱する第１熱交換機構とを備え、前記第１熱交換機構によって所定温度に加熱された加熱空気を前記除湿機能再生ゾーンに位置する前記除湿機構に給気して前記除湿剤の除湿機能を再生しつつ、前記除湿処理ゾーンに位置する前記除湿機構を利用して作られた除湿空気を除湿空調空間に給気する除湿システムにおいて、
前記除湿システムが、前記除湿機能再生ゾーンに位置する除湿機構の下流側に配置された第２熱交換機構と、前記第１熱交換機構と熱交換を行う熱交換器に対して熱交換を行う熱回収型ヒートポンプとを含み、前記第２熱交換機構が、前記熱回収型ヒートポンプから供給された冷媒を利用して前記除湿機能再生ゾーンの除湿機構を通流した加熱空気の交換熱を回収し、
前記除湿システムでは、前記第２熱交換機構によって回収された交換熱を前記冷媒を利用して該第２熱交換機構から前記熱回収型ヒートポンプに供給し、その交換熱を前記第１熱交換機構における空気の加熱に利用することを特徴とする除湿システム。
【請求項５】
前記除湿システムが、前記除湿処理ゾーンに位置する除湿機構の上流側に配置され、該除湿処理ゾーンの除湿機構に給気する空気の温度を低下させる第３熱交換機構を含み、前記除湿システムでは、前記熱回収型ヒートポンプで作られた冷熱を前記冷媒を利用して該熱回収型ヒートポンプから前記第３熱交換機構に供給し、その冷熱を前記第３熱交換機構における空気の冷却に利用するとともに、前記第３熱交換機構によって空気から回収された交換熱を前記冷媒を利用して該第３熱交換機構から前記熱回収型ヒートポンプに供給し、その交換熱を前記第１熱交換機構における空気の加熱に利用する請求項４に記載の除湿システム。
【請求項６】
前記除湿システムが、前記除湿処理ゾーンに位置する除湿機構の下流側に配置され、該除湿処理ゾーンの除湿機構によって作られた除湿空気の温度を低下させる第４熱交換機構を含み、前記除湿システムでは、前記熱回収型ヒートポンプで作られた冷熱を前記冷媒を利用して該熱回収型ヒートポンプから前記第４熱交換機構に供給し、その冷熱を前記第４熱交換機構における除湿空気の冷却に利用するとともに、前記第４熱交換機構によって除湿空気から回収された交換熱を前記冷媒を利用して該第４熱交換機構から前記熱回収型ヒートポンプに供給し、その交換熱を前記第１熱交換機構における空気の加熱に利用する請求項４または請求項５に記載の除湿システム。
【請求項７】
前記除湿システムが、前記第１熱交換機構と前記除湿機構との間の除湿機能再生ゾーンに配置され、前記第１熱交換機構によって所定温度に加熱された加熱空気を加熱するヒーターと、前記第１熱交換機構と前記ヒーターとの間の除湿機能再生ゾーンに設置され、該除湿機能再生ゾーンの除湿機構に給気する加熱空気の温度を計測する第１温度センサとを含み、前記除湿システムでは、前記第１温度センサが計測した加熱空気の第１計測温度が第１設定温度の範囲を下回る場合、前記ヒーターを稼働させるヒーター稼働手段と、稼働中の前記ヒーターの熱量を増加させる熱量増加手段と、前記ヒートポンプの仕事量を増加させる仕事量増加手段とのうちの少なくとも１つを実施し、前記第１温度センサが計測した加熱空気の第１計測温度が第１設定温度の範囲を上回る場合、稼働中の前記ヒーターを停止させるヒーター停止手段と、稼働中の前記ヒーターの熱量を減少させる熱量減少手段と、前記ヒートポンプの仕事量を減少させる仕事量減少手段とのうちの少なくとも１つを実施する請求項１ないし請求項６いずれかに記載の除湿システム。
【請求項８】
前記除湿システムが、前記除湿処理ゾーンに位置する除湿機構と前記第３熱交換機構との間に設置され、該除湿処理ゾーンの除湿機構に給気する空気の温度を計測する第２温度センサを含み、前記除湿システムでは、前記第２温度センサが計測した空気の第２計測温度が第２設定温度の範囲内に入るように前記第３熱交換機構に流入する冷媒の流入量を調節する流入量調節手段を実施し、前記第２温度センサが計測した空気の第２計測温度が第２設定温度を下回る場合、または、前記第２温度センサが計測した空気の第２計測温度を第２設定温度の範囲内に維持し得る場合、前記第３熱交換機構に流入する冷媒の流入量を減少させる流入量減少手段と該第３熱交換機構への冷媒の流入を停止させる流入停止手段とのいずれか一方を実施する請求項７に記載の除湿システム。
【請求項９】
前記除湿システムが、前記第４熱交換機構の下流側に設置され、該第４熱交換機構によって温度が低下した除湿空気の温度を計測する第３温度センサを含み、前記除湿システムでは、前記第３温度センサが計測した除湿空気の第３計測温度が第３設定温度の範囲内に入るように前記第４熱交換機構に流入する冷媒の流入量を調節する流入量調節手段を実施し、前記第３温度センサが計測した空気の第３計測温度が第３設定温度を下回る場合、または、前記第３温度センサが計測した空気の第３計測温度を第３設定温度の範囲内に維持し得る場合、前記第４熱交換機構に流入する冷媒の流入量を減少させる流入量減少手段と該第４熱交換機構への冷媒の流入を停止させる流入停止手段とのいずれか一方を実施する請求項７または請求項８に記載の除湿システム。
【請求項１０】
前記除湿システムが、前記除湿処理ゾーンに位置する除湿機構と前記第３熱交換機構との間に設置された外調機を含み、前記外調機が、前記除湿処理ゾーンの除湿機構に給気する空気を除湿するとともに、その空気の温度を調節する請求項７ないし請求項９いずれかに記載の除湿システム。
【請求項１１】
前記冷媒が、水またはブラインである請求項１ないし請求項１０いずれかに記載の除湿システム。
【発明の詳細な説明】
【技術分野】
【０００１】
本発明は、加熱空気を除湿機構に給気して除湿剤の除湿機能を再生しつつ、除湿機構を利用して作られた除湿空気を除湿空調空間に給気する除湿システムに関する。
【背景技術】
【０００２】
吸着剤を収容しつつその吸着剤を利用して通過する空気を除湿するデシカントローターと、ヒートポンプを利用し、吸着剤の吸着機能を再生させる加熱空気をデシカントローターに給気する空気加熱器と、デシカントローターと空気加熱器との間に配置されて加熱空気を加熱する補助ヒーターと、デシカントローターに流入させる空気の温度を低下させる外気冷却器およびプレクーラーとを備え、空気加熱器と補助ヒーターとによって加熱された加熱空気をデシカントローターに給気して吸着剤の吸着機能を再生しつつ、デシカントローターを利用して作られた所定温度の除湿空気を除湿空調空間に給気する除湿装置が開示されている（特許文献１参照）。
【０００３】
この除湿装置では、空気加熱器としてヒートポンプの凝縮器を利用し、外気冷却器およびプレクーラーとしてヒートポンプの蒸発器を利用している。除湿装置では、ヒートポンプの凝縮器を利用して外気を所定温度に加熱し、外気を加熱した加熱空気をデシカントローターに給気するとともに、ヒートポンプの蒸発器を利用した外気冷却器およびプレクーラーによって外気を冷却し、冷却した外気をデシカントローターに給気する。
【先行技術文献】
【特許文献】
【０００４】
【特許文献１】特開２０１１−１２５８２６号公報
【発明の概要】
【発明が解決しようとする課題】
【０００５】
前記特許文献１に開示の除湿装置において外気を所定温度に加熱するには、ヒートポンプの凝縮器を利用した空気加熱器の加熱量とヒートポンプの蒸発器を利用した外気冷却器およびプレクーラーの冷却量とを略同等にする必要がある。外気の温度が高い夏期では、空気加熱器の加熱量と外気冷却器およびプレクーラーの冷却量とを略同等にすることができ、空気加熱器を利用して外気を所定温度の加熱空気に加熱することができる。しかし、外気の温度が低く、外気冷却器およびプレクーラーを利用して外気を冷却する必要がない冬期では、空気加熱器の加熱量と外気冷却器およびプレクーラーの冷却量とが不均衡になり、空気加熱器を利用して外気の温度を十分に上昇させることができず、デシカントローターに収容された吸着剤の吸着機能を再生することができない場合がある。また、この除湿装置では、デシカントローターを通流した再生用の加熱空気が外気に放出されるから、再生用の加熱空気が有する交換熱が無駄に捨てられ、その交換熱を再利用することができず、交換熱を空気加熱器における空気の加熱に利用することができない。
【０００６】
本発明の目的は、除湿機構の除湿機能を再生させる加熱空気が有する交換熱を再利用することができ、その交換熱をヒートポンプの安定運転に利用することができる除湿システムを提供することにある。本発明の他の目的は、外気の温度が低い冬期において、ヒートポンプの安定運転を行うことで除湿機構に給気する空気を十分に加熱することができ、その加熱空気を利用して除湿機構の除湿機能を再生することができる除湿システムを提供することにある。
【課題を解決するための手段】
【０００７】
前記課題を解決するための本発明の前提は、除湿空気を作る除湿処理ゾーンと、除湿機能を再生する除湿機能再生ゾーンと、除湿剤を有して除湿処理ゾーンおよび除湿機能再生ゾーンに配置された除湿機構と、除湿機構の上流側における除湿機能再生ゾーンに配置され、ヒートポンプを利用して除湿機構に給気する空気を加熱する第１熱交換機構とを備え、第１熱交換機構によって所定温度に加熱された加熱空気を除湿機能再生ゾーンに位置する除湿機構に給気して除湿剤の除湿機能を再生しつつ、除湿処理ゾーンに位置する除湿機構を利用して作られた除湿空気を除湿空調空間に給気する除湿システムである。
【０００８】
前記前提における本発明の除湿システムの第１の特徴は、除湿システムが除湿機能再生ゾーンに位置する除湿機構の下流側に配置された第２熱交換機構を含み、第２熱交換機構が第１熱交換機構と熱交換を行う熱交換器から供給された冷媒を利用して除湿機能再生ゾーンの除湿機構を通流した加熱空気の交換熱を回収し、除湿システムでは、第２熱交換機構によって回収された交換熱を冷媒を利用して第２熱交換機構から熱交換器に供給し、その交換熱を第１熱交換機構における空気の加熱に利用することにある。
【０００９】
前記第１の特徴を有する本発明の除湿システムの一例としては、除湿処理ゾーンに位置する除湿機構の上流側に配置され、除湿処理ゾーンの除湿機構に給気する空気の温度を低下させる第３熱交換機構を含み、除湿システムでは、熱交換器で作られた冷熱を冷媒を利用して熱交換器から第３熱交換機構に供給し、その冷熱を第３熱交換機構における空気の冷却に利用するとともに、第３熱交換機構によって空気から回収された交換熱を冷媒を利用して第３熱交換機構から熱交換器に供給し、その交換熱を第１熱交換機構における空気の加熱に利用する。
【００１０】
前記第１の特徴を有する本発明の除湿システムの他の一例としては、除湿処理ゾーンに位置する除湿機構の下流側に配置され、除湿処理ゾーンの除湿機構によって作られた除湿空気の温度を低下させる第４熱交換機構を含み、除湿システムでは、熱交換器で作られた冷熱を冷媒を利用して熱交換器から第４熱交換機構に供給し、その冷熱を第４熱交換機構における除湿空気の冷却に利用するとともに、第４熱交換機構によって除湿空気から回収された交換熱を冷媒を利用して第４熱交換機構から熱交換器に供給し、その交換熱を第１熱交換機構における空気の加熱に利用する。
【００１１】
前記前提における本発明の除湿システムの第２の特徴は、除湿システムが、除湿機能再生ゾーンに位置する除湿機構の下流側に配置された第２熱交換機構と、第１熱交換機構と熱交換を行う熱交換器に対して熱交換を行う熱回収型ヒートポンプとを含み、第２熱交換機構が熱回収型ヒートポンプから供給された冷媒を利用して除湿機能再生ゾーンの除湿機構を通流した加熱空気の交換熱を回収し、除湿システムでは、第２熱交換機構によって回収された交換熱を冷媒を利用して第２熱交換機構から熱回収型ヒートポンプに供給し、その交換熱を第１熱交換機構における空気の加熱に利用することにある。
【００１２】
前記第２の特徴を有する本発明の除湿システムの一例としては、除湿処理ゾーンに位置する除湿機構の上流側に配置され、除湿処理ゾーンの除湿機構に給気する空気の温度を低下させる第３熱交換機構を含み、除湿システムでは、熱回収型ヒートポンプで作られた冷熱を冷媒を利用して熱回収型ヒートポンプから第３熱交換機構に供給し、その冷熱を第３熱交換機構における空気の冷却に利用するとともに、第３熱交換機構によって空気から回収された交換熱を冷媒を利用して第３熱交換機構から熱回収型ヒートポンプに供給し、その交換熱を第１熱交換機構における空気の加熱に利用する。
【００１３】
前記第２の特徴を有する本発明の除湿システムの他の一例としては、除湿処理ゾーンに位置する除湿機構の下流側に配置され、除湿処理ゾーンの除湿機構によって作られた除湿空気の温度を低下させる第４熱交換機構を含み、除湿システムでは、熱回収型ヒートポンプで作られた冷熱を冷媒を利用して熱回収型ヒートポンプから第４熱交換機構に供給し、その冷熱を第４熱交換機構における除湿空気の冷却に利用するとともに、第４熱交換機構によって除湿空気から回収された交換熱を冷媒を利用して第４熱交換機構から熱回収型ヒートポンプに供給し、その交換熱を第１熱交換機構における空気の加熱に利用する。
【００１４】
前記第１および第２の特徴を有する本発明の除湿システムの一例としては、除湿システムが、第１熱交換機構と除湿機構との間の除湿機能再生ゾーンに配置され、第１熱交換機構によって所定温度に加熱された加熱空気を加熱するヒーターと、第１熱交換機構とヒーターとの間の除湿機能再生ゾーンに設置され、除湿機能再生ゾーンの除湿機構に給気する加熱空気の温度を計測する第１温度センサとを含み、除湿システムでは、第１温度センサが計測した加熱空気の第１計測温度が第１設定温度の範囲を下回る場合、ヒーターを稼働させるヒーター稼働手段と、稼働中のヒーターの熱量を増加させる熱量増加手段と、ヒートポンプの仕事量を増加させる仕事量増加手段とのうちの少なくとも１つを実施し、第１温度センサが計測した加熱空気の第１計測温度が第１設定温度の範囲を上回る場合、稼働中のヒーターを停止させるヒーター停止手段と、稼働中のヒーターの熱量を減少させる熱量減少手段と、ヒートポンプの仕事量を減少させる仕事量減少手段とのうちの少なくとも１つを実施する。
【００１５】
前記第１および第２の特徴を有する本発明の除湿システムの他の一例としては、除湿処理ゾーンに位置する除湿機構と第３熱交換機構との間に設置され、除湿処理ゾーンの除湿機構に給気する空気の温度を計測する第２温度センサを含み、除湿システムでは、第２温度センサが計測した空気の第２計測温度が第２設定温度の範囲内に入るように第３熱交換機構に流入する冷媒の流入量を調節する流入量調節手段を実施し、第２温度センサが計測した空気の第２計測温度が第２設定温度を下回る場合、または、第２温度センサが計測した空気の第２計測温度を第２設定温度の範囲内に維持し得る場合、第３熱交換機構に流入する冷媒の流入量を減少させる流入量減少手段と第３熱交換機構への冷媒の流入を停止させる流入停止手段とのいずれか一方を実施する。
【００１６】
前記第１および第２の特徴を有する本発明の除湿システムの他の一例としては、第４熱交換機構の下流側に設置され、第４熱交換機構によって温度が低下した除湿空気の温度を計測する第３温度センサを含み、除湿システムでは、第３温度センサが計測した除湿空気の第３計測温度が第３設定温度の範囲内に入るように第４熱交換機構に流入する冷媒の流入量を調節する流入量調節手段を実施し、第３温度センサが計測した空気の第３計測温度が第３設定温度を下回る場合、または、第３温度センサが計測した空気の第３計測温度を第３設定温度の範囲内に維持し得る場合、第４熱交換機構に流入する冷媒の流入量を減少させる流入量減少手段と第４熱交換機構への冷媒の流入を停止させる流入停止手段とのいずれか一方を実施する。
【００１７】
前記第１および第２の特徴を有する本発明の除湿システムの他の一例としては、除湿処理ゾーンに位置する除湿機構と第３熱交換機構との間に設置された外調機を含み、外調機が除湿処理ゾーンの除湿機構に給気する空気を除湿するとともにその空気の温度を調節する。
【００１８】
前記第１および第２の特徴を有する本発明の除湿システムの他の一例としては、冷媒が水またはブラインである。
【発明の効果】
【００１９】
第１の特徴を有する本発明の除湿システムによれば、除湿機能再生ゾーンの除湿機構を通流した加熱空気の交換熱を第２熱交換機構が冷媒を利用して回収し、第２熱交換機構によって回収された交換熱が冷媒を利用して第２熱交換機構から熱交換器に供給され、ヒートポンプを利用した第１熱交換機構と熱交換器との間で熱交換が行われることで、加熱空気の交換熱が第１熱交換機構における空気の加熱に利用されるから、除湿機構の除湿機能の再生のために使用された加熱空気の排熱が無駄に捨てられることはなく、排気空気から回収した交換熱を熱交換器利用してヒートポンプの冷媒に再利用することができる。除湿システムは、加熱空気の排熱の交換熱を受け取った冷媒を利用してその交換熱を熱交換器から第１熱交換機構に伝えることができるから、第１熱交換機構のヒートポンプを安定して運転することができる。また、除湿機能の再生に使用された加熱空気の残余の排気空気から回収した排熱を利用しない場合と比較し、除湿機構に給気する空気を第１熱交換機構において十分に加熱することができる。除湿システムは、加熱空気の交換熱を第１熱交換機構における空気の加熱に利用することで、外気の温度が低い冬期であってもヒートポンプを安定して運転することができるため、除湿機構に給気する空気を十分に加熱することができ、その加熱空気を利用して除湿機構の除湿機能を確実に再生することができる。
【００２０】
除湿処理ゾーンに位置する除湿機構の上流側に配置されて除湿機構に給気する空気の温度を低下させる第３熱交換機構を含み、熱交換器で作られた冷熱を冷媒を利用して熱交換器から第３熱交換機構に供給し、その冷熱を第３熱交換機構における空気の冷却に利用する除湿システムは、第１熱交換機構と熱交換した後の熱交換器から供給される冷熱を利用し、除湿処理ゾーンに位置する除湿機構に給気する空気と第３熱交換機構との間で熱交換を行うことで、除湿機構に給気する空気を冷却することができるから、第３熱交換機構によって冷却された空気を除湿処理ゾーンの除湿機構に給気することができ、除湿機構において温度が低下した除湿空気を容易に作ることができる。なお、第３熱交換機構の冷却機能によって季節の中間期では温度を下げることで、相対湿度を上げて除湿機構の除湿機能を高める効果がある。除湿システムは、除湿処理ゾーンの除湿機構に給気する空気から回収された交換熱が冷媒を利用して第３熱交換機構から熱交換器に供給され、第１熱交換機構と熱交換器との間で熱交換が行われることで、除湿機構に給気する空気の交換熱が第１熱交換機構における空気の加熱に利用されるから、除湿処理ゾーンの除湿機構に給気する空気の交換熱を再利用することができ、除湿機能再生ゾーンの除湿機構に給気する空気を第１熱交換機構において十分に加熱することができる。除湿システムは、第１〜第３熱交換機構の間において交換熱および冷熱の循環回路が形成され、冷媒を利用して交換熱および冷熱をその回路に循環させることで、交換熱や冷熱の有効利用を図ることができ、システムの省エネルギー化とヒートポンプの安定運転とを実現することができる。
【００２１】
除湿処理ゾーンに位置する除湿機構の下流側に配置されて除湿空気の温度を低下させる第４熱交換機構を含み、熱交換器で作られた冷熱を冷媒を利用して熱交換器から第４熱交換機構に供給し、その冷熱を第４熱交換機構における除湿空気の冷却に利用する除湿システムは、第１熱交換機構と熱交換した後の熱交換器から供給される冷熱を利用し、除湿処理ゾーンに位置する除湿機構を通流した除湿空気と第４熱交換機構との間で熱交換を行うことで、除湿空気を冷却することができるから、第４熱交換機構によって温度が低下した除湿空気を除湿空調空間に給気することができ、その除湿空気によって除湿空調空間を除湿機構を通流直後の加熱された空気温度よりも低温にすることができる。除湿システムは、除湿処理ゾーンの除湿機構を通流した除湿空気から回収された交換熱が冷媒を利用して第４熱交換機構から熱交換器に供給され、第１熱交換機構と熱交換器との間で熱交換が行われることで、除湿空気の交換熱が第１熱交換機構における空気の加熱に利用されるから、除湿処理ゾーンの除湿機構を通流した除湿空気の熱を再利用することができ、除湿機能再生ゾーンの除湿機構に給気する空気を第１熱交換機構において十分に加熱することができる。除湿システムは、第１〜第４熱交換機構の間において交換熱および冷熱の循環回路が形成され、冷媒を利用して交換熱および冷熱をその回路に循環させることで、熱の有効利用を図ることができ、システムの省エネルギー化とヒートポンプの安定運転とを実現することができる。
【００２２】
第２の特徴を有する本発明の除湿システムによれば、除湿機能再生ゾーンの除湿機構を通流した加熱空気の交換熱を第２熱交換機構が冷媒を利用して回収し、第２熱交換機構によって回収された交換熱が冷媒を利用して第２熱交換機構から熱回収型ヒートポンプに供給され、熱交換器と熱回収型ヒートポンプとの間で熱交換が行われるとともに、ヒートポンプを利用した第１熱交換機構と熱交換器との間で熱交換が行われることで、加熱空気の交換熱が第１熱交換機構における空気の加熱に利用されるから、除湿機構の除湿機能の再生のために使用された加熱空気の排熱が無駄に捨てられることはなく、排気空気から回収した交換熱を熱交換器利用してヒートポンプの冷媒に再利用することができる。除湿システムは、加熱空気の排熱の交換熱を受け取った冷媒を利用してその交換熱を熱回収型ヒートポンプから熱交換器に伝えることができるとともに、その交換熱を熱交換器から第１熱交換機構に伝えることができるから、第１熱交換機構のヒートポンプを安定して運転することができる。また、除湿機能の再生に使用された加熱空気の残余の排気空気から回収した排熱を利用しない場合と比較し、除湿機構に給気する空気を第１熱交換機構において十分に加熱することができる。除湿システムは、熱回収型ヒートポンプによって熱を低温域から高温域に効率よく移動させることができると同時に、冷媒の冷却機能が向上するから、ヒートポンプを利用した第１熱交換機構に加えて熱回収型ヒートポンプを利用することで、所定温度の加熱空気を確実に作ることができるとともに、空気の冷却に十分な冷熱を第２熱交換機構に供給することができる。除湿システムは、加熱空気の交換熱を第１熱交換機構における空気の加熱に利用することで、外気の温度が低い冬期であってもヒートポンプを安定して運転することができるため、除湿機構に給気する空気を十分に加熱することができ、その加熱空気を利用して除湿機構の除湿機能を確実に再生することができる。
【００２３】
除湿処理ゾーンに位置する除湿機構の上流側に配置されて除湿機構に給気する空気の湿度を低下させる第３熱交換機構を含み、熱回収型ヒートポンプで作られた冷熱を冷媒を利用して熱回収型ヒートポンプから第３熱交換機構に供給し、その冷熱を第３熱交換機構における空気の除湿に利用する除湿システムは、第１熱交換機構と熱交換器との間で熱交換が行われるとともに、熱交換器と熱回収型ヒートポンプとの間で熱交換が行われた後の冷熱を利用し、除湿処理ゾーンに位置する除湿機構に給気する空気と第３熱交換機構との間で熱交換を行うことで、除湿機構に給気する空気を冷却することができるから、第３熱交換機構によって冷却された空気を除湿処理ゾーンの除湿機構に給気することができ、除湿機構において除湿空気を容易に作ることができる。なお、第３熱交換機構の冷却機能によって季節の中間期では温度を下げることで、相対湿度を上げて除湿機構の除湿機能を高める効果がある。除湿システムは、除湿処理ゾーンの除湿機構に給気する空気から回収された交換熱が冷媒を利用して第３熱交換機構から熱回収型ヒートポンプに供給され、熱回収型ヒートポンプと熱交換器との間で熱交換が行われるとともに、第１熱交換機構と熱交換器との間で熱交換が行われることで、除湿機構に給気する空気の交換熱が第１熱交換機構における空気の加熱に利用されるから、除湿処理ゾーンの除湿機構に給気する空気の交換熱を再利用することができ、除湿機能再生ゾーンの除湿機構に給気する空気を第１熱交換機構において十分に加熱することができる。除湿システムは、第１〜第３熱交換機構と熱回収型ヒートポンプとの間において交換熱および冷熱の循環回路が形成され、冷媒を利用して交換熱および冷熱をその回路に循環させることで、交換熱や冷熱の有効利用を図ることができ、システムの省エネルギー化とヒートポンプの安定運転とを実現することができる。
【００２４】
除湿処理ゾーンに位置する除湿機構の下流側に配置されて除湿空気の温度を低下させる第４熱交換機構を含み、熱回収型ヒートポンプで作られた冷熱を冷媒を利用して熱回収型ヒートポンプから第４熱交換機構に供給し、その冷熱を第４熱交換機構における除湿空気の冷却に利用する除湿システムは、第１熱交換機構と熱交換器との間で熱交換が行われるとともに、熱交換器と熱回収型ヒートポンプとの間で熱交換が行われた後の熱回収型ヒートポンプから供給される冷熱を利用し、除湿処理ゾーンに位置する除湿機構を通流した除湿空気と第４熱交換機構との間で熱交換を行うことで、除湿空気を冷却することができるから、第４熱交換機構によって温度が低下した除湿空気を除湿空調空間に給気することができ、その除湿空気によって除湿空調空間を除湿機構を通流直後の加熱された空気温度よりも低温にすることができる。除湿システムは、除湿処理ゾーンの除湿機構を通流した除湿空気から回収された交換熱が冷媒を利用して第４熱交換機構から熱回収型ヒートポンプに供給され、熱回収型ヒートポンプと熱交換器との間で熱交換が行われるとともに、第１熱交換機構と熱交換器との間で熱交換が行われることで、除湿空気の交換熱が第１熱交換機構における空気の加熱に利用されるから、除湿処理ゾーンの除湿機構を通流した除湿空気の交換熱を再利用することができ、除湿機能再生ゾーンの除湿機構に給気する空気を第１熱交換機構において十分に加熱することができる。除湿システムは、第１〜第４熱交換機構と熱回収型ヒートポンプとの間において交換熱および冷熱の循環回路が形成され、冷媒を利用して交換熱および冷熱をその回路に循環させることで、交換熱や冷熱の有効利用を図ることができ、システムの省エネルギー化とヒートポンプの安定運転とを実現することができる。
【００２５】
第１熱交換機構と除湿機構との間の除湿機能再生ゾーンに配置されたヒーターと、第１熱交換機構とヒーターとの間の除湿機能再生ゾーンに設置された第１温度センサとを含み、第１温度センサが計測した加熱空気の第１計測温度が第１設定温度の範囲を下回る場合、ヒーターを稼働させるヒーター稼働手段と、稼働中のヒーターの熱量を増加させる熱量増加手段と、ヒートポンプの仕事量を増加させる仕事量増加手段とのうちの少なくとも１つを実施し、第１温度センサが計測した加熱空気の第１計測温度が第１設定温度の範囲を上回る場合、稼働中のヒーターを停止させるヒーター停止手段と、稼働中のヒーターの熱量を減少させる熱量減少手段と、ヒートポンプの仕事量を減少させる仕事量減少手段とのうちの少なくとも１つを実施する除湿システムは、加熱空気の交換熱を第１熱交換機構における空気の加熱に利用したとしても、第１計測温度が第１設定温度の範囲を下回る場合、ヒーターを利用して所定温度に加熱された加熱空気をさらに加熱するヒーター稼働手段、稼働中のヒーターの熱量を増加させる熱量増加手段、ヒートポンプの仕事量を増加させる仕事量増加手段のうちの少なくとも１つを実施するから、外気の温度が低い冬期のようにヒートポンプの蒸発器に供給する熱量が少ない状態であっても除湿機構に給気する空気を十分に加熱することができ、加熱空気の温度を第１設定温度の範囲内にすることができるとともに、その加熱空気を利用して除湿機構の除湿機能を確実に再生することができる。除湿システムは、第１計測温度が第１設定温度の範囲を上回る場合、稼働中のヒーターを停止させるヒーター停止手段と、稼働中のヒーターの熱量を減少させる熱量減少手段と、ヒートポンプの仕事量を減少させる仕事量減少手段とのうちの少なくとも１つを実施するから、ヒーターを停止させた状態でシステムを運転し、または、ヒーターの熱量を減少させた状態でシステムを運転することで、ヒーターの消費電力を節約することができるとともに、ヒートポンプの仕事量を減少させた状態でシステムを運転することで、ヒートポンプの消費電力を節約することができ、外気の温度が高い夏期においてシステムの省エネルギー化とヒートポンプの安定運転とを実現することができる。
【００２６】
除湿処理ゾーンに位置する除湿機構と第３熱交換機構との間に設置された第２温度センサを含み、第２温度センサが計測した空気の第２計測温度が第２設定温度の範囲内に入るように第３熱交換機構に流入する冷媒の流入量を調節する流入量調節手段を実施し、第２温度センサが計測した空気の第２計測温度が第２設定温度を下回る場合、または、第２温度センサが計測した空気の第２計測温度を第２設定温度の範囲内に維持し得る場合、第３熱交換機構に流入する冷媒の流入量を減少させる流入量減少手段と第３熱交換機構への冷媒の流入を停止させる流入停止手段とのいずれか一方を実施する除湿システムは、第２温度センサが計測した空気の第２計測温度が第２設定温度の範囲を上回る場合、第３熱交換機構における冷却機能が低下して除湿機構に給気する空気を十分に冷却することができないが、第３熱交換機構に流入する冷媒の流入量を多くすることで、第３熱交換機構における冷却機能を上昇させることができるから、第３熱交換機構によって空気が十分に冷却され、第２計測温度を第２設定温度の範囲内にすることができ、第３熱交換機構によって温度が低下した空気を除湿機構に給気することができる。除湿システムは、空気が乾燥し、空気の温度および湿度が低下する冬期において第２温度センサが計測した空気の第２計測温度が第２設定温度の範囲を下回る場合、または、第２温度センサが計測した空気の第２計測温度を第２設定温度の範囲内に維持し得る場合、第３熱交換機構を利用して空気を冷却する必要がなく、その場合、第３熱交換機構に流入する冷媒の流入量を減少させ、または、第３熱交換機構への冷媒の流入を停止させ、冷媒の冷熱を他の冷熱配管系に利用することで、冷媒の無駄を省くことができ、システムの省エネルギー化を図ることができる。除湿システムは、第１熱交換機構と熱交換した後の熱交換器または熱回収型ヒートポンプから供給される冷熱を必要最小限に利用し、除湿処理ゾーンに位置する除湿機構に給気する空気と第３熱交換機構との間で熱交換を行うことで、除湿機構に給気する空気を冷却することができるから、第３熱交換機構によって温度が低下した空気を除湿処理ゾーンの除湿機構に給気することができ、除湿機構において温度が低下した除湿空気を容易に作ることができる。
【００２７】
第４熱交換機構の下流側に設置された第３温度センサを含み、第３温度センサが計測した除湿空気の第３計測温度が第３設定温度の範囲内に入るように第４熱交換機構に流入する冷媒の流入量を調節する流入量調節手段を実施し、第３温度センサが計測した空気の第３計測温度が第３設定温度を下回る場合、または、第３温度センサが計測した空気の第３計測温度を第３設定温度の範囲内に維持し得る場合、第４熱交換機構に流入する冷媒の流入量を減少させる流入量減少手段と第４熱交換機構への冷媒の流入を停止させる流入停止手段とのいずれか一方を実施する除湿システムは、第３温度センサが計測した空気の第３計測温度が第３設定温度の範囲を上回る場合、第４熱交換機構における冷却機能が低下して第４熱交換機構を利用して除湿空気を十分に冷却することができないが、第４熱交換機構に流入する冷媒の流入量を多くすることで、第４熱交換機構における冷却機能を上昇させることができるから、第４熱交換機構によって除湿空気が十分に冷却され、第３計測温度を第３設定温度の範囲内にすることができ、第４熱交換機構によって温度が低下した除湿空気を除湿空調空間に給気することができる。除湿システムは、空気が乾燥し、空気の温度が低下する冬期において第３温度センサが計測した空気の第３計測温度が第３設定温度の範囲を下回る場合、または、第３温度センサが計測した空気の第３計測温度を第３設定温度の範囲内に維持し得る場合、第４熱交換機構を利用して空気を冷却する必要がなく、その場合、第４熱交換機構に流入する冷媒の流入量を減少させ、または、第４熱交換機構への冷媒の流入を停止させ、冷媒の冷熱を他の冷熱配管系に利用することで、冷媒の無駄を省くことができ、システムの省エネルギー化を図ることができる。除湿システムは、除湿システムは、第１熱交換機構と熱交換した後の熱交換器または熱回収型ヒートポンプから供給される冷熱を必要最小限に利用し、除湿処理ゾーンに位置する除湿機構を通流した除湿空気と第４熱交換機構との間で熱交換を行うことで、除湿空調空間に給気する空気を冷却することができるから、第４熱交換機構によって温度が低下した空気を除湿空調空間に給気することができる。
【００２８】
除湿処理ゾーンに位置する除湿機構と第３熱交換機構との間に設置された外調機を含み、外調機が除湿処理ゾーンの除湿機構に給気する空気を除湿するとともに、その空気の温度を調節する除湿システムは、外調機を利用することで、第３熱交換機構における空気冷却機能や第４熱交換機構における空気冷却機能を補うことができ、除湿機構において除湿空気を確実に作ることができ、除湿空気を確実に冷却することができる。
【００２９】
冷媒が水またはブラインである除湿システムは、冷媒として水やブラインを利用することで、たとえば、第３熱交換機構や第４熱交換機構に冷媒を使用しない場合、その冷媒を他の冷熱配管系に導入し、その冷媒を他の冷熱配管系において容易に利用することができ、冷媒の有効利用を図ることができる。なお、除湿機構としてデシカントローターが使用される場合、デシカントローターを利用して空気に含まれる湿気を除去した除湿空気を確実に作ることができ、その除湿空気を除湿空調空間に給気することができる。
【図面の簡単な説明】
【００３０】
【図１】一例として示す除湿システムの構成図。
【図２】除湿空調空間に対する除湿空気の給気および還気の一例を示す図。
【図３】除湿空調空間に対する除湿空気の給気および還気の他の一例を示す図。
【図４】除湿システムの運転状態の一例を示す図。
【図５】除湿システムの運転状態の他の一例を示す図。
【図６】他の一例として示す除湿システムの構成図。
【図７】除湿システムの運転状態の一例を示す図。
【図８】除湿システムの運転状態の他の一例を示す図。
【発明を実施するための形態】
【００３１】
一例として示す除湿システム１０Ａの構成図である図１等の添付の図面を参照し、本発明にかかる除湿システムの詳細を説明すると、以下のとおりである。なお、図２は、除湿空調空間１９に対する除湿空気の給気および還気の一例を示す図であり、図３は、除湿空調空間１９に対する除湿空気の給気および還気の他の一例を示す図である。図１では、除湿空調空間１９の図示を省略し、図２，３では、第１〜第４熱交換機構１２〜１５やヒーター１６、デシカントローター１７、外調機１８の図示を省略している。
【００３２】
除湿システム１０Ａは、デシカント空調機１１と第１〜第４熱交換機構１２〜１５とヒーター１６とデシカントローター１７（除湿機構）と外調機１８とを備えている。除湿システム１０Ａは、湿度が低い除湿空気（低露点空気を含む）を作り、その除湿空気をリチウム電池製造工場や製薬工場、クリーンルーム、環境試験室、食品加工工場、半導体工場、機械製品倉庫等の除湿空気を必要とする除湿空調空間１９（図２，３参照）に給気する。
【００３３】
デシカント空調機１１は、デシカントローター１７を利用して除湿空気を作る除湿処理ゾーン２０と、デシカントローター１７（除湿剤）の除湿機能を再生する除湿機能再生ゾーン２１とを有する。デシカント空調機１１の除湿処理ゾーン２０に通じる空気取入口には、第１ダクト２２が接続され、除湿処理ゾーン２０に通じる空気給気口には、第２ダクト２３が接続されている。デシカント空調機１１の除湿機能再生ゾーン２１に通じる空気取入口には、第３ダクト２４が接続され、除湿機能再生ゾーン２１に通じる空気排気口には、第４ダクト２５が接続されている。
【００３４】
デシカント空調機１１の除湿処理ゾーン２０における空気取入口（第１ダクト２２）とデシカントローター１７との間には、給気用送風機２６が設置されている。デシカント空調機１１の除湿機能再生ゾーン２１におけるデシカントローター１７と空気排気口（第４ダクト２５）との間には、排気用送風機２７が設置されている。デシカント空調機１１では、給気用送風機２６が稼働すると、空気が第１ダクト２２から空気取入口を通って除湿処理ゾーン２０に流入し、空気がデシカントローター１７の除湿剤に接触して湿気が吸湿された除湿空気が作られた後、その除湿空気が空気給気口から第２ダクト２３に流入する。また、排気用送風機２７が稼働すると、空気が第３ダクト２４から空気取入口を通って除湿機能再生ゾーン２１に流入し、加熱空気がデシカントローター１７の除湿剤に接触して除湿剤を乾燥させた後、加熱空気が空気排気口から第４ダクト２５に流入する。
【００３５】
除湿空調空間１９に対する除湿空気の給排気の一例としては、図２に示すように、デシカント空調機１１で作られた除湿空気が第２ダクト２３から除湿空調空間１９に給気され、除湿空調空間１９から排気された空気が第１ダクト２２に戻される場合がある。デシカント空調機１１の除湿処理ゾーン２０には、除湿空調空間１９から排気された空気とともに外気が給気され、除湿機能再生ゾーン２１には、外気が給気される。
【００３６】
除湿空調空間１９に対する除湿空気の給排気の他の一例としては、図３に示すように、除湿空調空間１９から排気された空気が第１ダクト２２に戻されることなく、外気に放出される。デシカント空調機１１の除湿機能再生ゾーン２１には、外気が給気され、除湿処理ゾーン２０には、外気が給気される。
【００３７】
第１熱交換機構１２は、デシカントローター１７の上流側における除湿機能再生ゾーン２１に配置されている。第１熱交換機構１２は、インバーター制御方式のコンプレッサー２８を有するヒートポンプユニット２９と熱交換器３０とから形成されている。ヒートポンプユニット２９は、ＣＯ２を冷媒とした冷凍サイクルを構成し、デシカント空調機１１の除湿機能再生ゾーン２１に設置された凝縮器３１と、熱交換器３０の内部に設置された蒸発器３２と、膨張弁（図示せず）とを有する。
【００３８】
ヒートポンプユニット２９の凝縮器３１や蒸発器３２、コンプレッサー２８、膨張弁は、往管３３および還管３４によって連結されている。ヒートポンプユニット２９のコンプレッサー２８は、往管３３に設置されている。ヒートポンプユニット２９は、その制御部（図示せず）が制御信号線３５を介して第１コントローラ３６に接続されている。
【００３９】
第１コントローラ３６は、中央処理装置とメモリとを有するコンピュータである。コントローラ３６のメモリには、デシカントローター１７の後記する放湿域４１に給気される加熱空気の第１設定温度（約１２０〜約１３０℃）が格納されている。コントローラ３６は、後記する第１温度センサ３９から送信された第１計測温度と第１設定温度とを比較し、その結果に基づいてヒートポンプユニット２９のコンプレッサー２８の回転数の増減を調節し、ヒーター１６の発停を行うとともに、ヒーター１６の熱量（出力）の増減を調節する。
【００４０】
第１コントローラ３６がコンプレッサー２８の回転数を増加させる回転数増加信号をヒートポンプユニット２９の制御部に送ると、制御部がコンプレッサー２８の回転数を増加させ、ヒートポンプユニット２９の仕事量が増加する。コントローラ３６がコンプレッサー２８の回転数を減少させる回転数減少信号をヒートポンプユニット２９の制御部に送ると、制御部がコンプレッサー２８の回転数を減少させ、ヒートポンプユニット２９の仕事量が減少する。
【００４１】
熱交換器３０には、第１熱交換機構１２（ヒートポンプユニット２９の蒸発器３２）と熱交換する熱交換コイル３７が設置されている。熱交換コイル３７には、冷媒が環流する循環管３８が連結されている。ヒートポンプユニット２９の凝縮器３１によって除湿機能再生ゾーン２１を通る空気が所定温度（約１２０〜約１３０℃）に加熱され、熱交換コイル３７がヒートポンプユニット２９の蒸発器３２と熱交換することにより、循環管３８から熱交換コイル３７に流入した冷媒が所定温度（約２０℃）に冷却される。冷却された冷媒は、熱交換コイル３７から循環管３８に流入する。熱交換コイル３７や循環管３８に流れる冷媒には、水またはブラインが使用されているが、水やブラインとは異なる冷媒を利用することもできる。
【００４２】
ヒーター１６は、第１熱交換機構１２とデシカントローター１７との間の除湿機能再生ゾーン２１に設置されている。ヒーター１６は、ヒートポンプユニット２９の凝縮器３１（第１熱交換機構１２）によって所定温度に加熱された加熱空気をさらに加熱し、凝縮器３１における空気の加熱が不十分である場合にその加熱機能を補うことで、除湿機能再生ゾーン２１のデシカントローター１７に給気する空気を所定温度（約１２０〜約１３０℃）まで昇温させる。ヒーター１６は、その制御部（図示せず）が制御信号線３５を介して第１コントローラ３６に接続されている。
【００４３】
第１コントローラ３６がＯＮ信号（稼働信号）をヒーター１６の制御部に送ると、制御部がヒーター１６を稼働させる。コントローラ３６がＯＦＦ信号（停止信号）をヒーター１６の制御部に送ると、制御部が稼働中のヒーター１６を停止させる。コントローラ３６が熱量増加信号をヒーター１６の制御部に送ると、制御部が稼働中のヒーター１６の熱量を増加させ、コントローラ３６が熱量減少信号をヒーター１６の制御部に送ると、制御部が稼働中のヒーター１６の熱量を減少させる。
【００４４】
ヒーター１６とデシカントローター１７との間の除湿機能再生ゾーン２１には、第１温度センサ３９が設置されている。温度センサ３９は、制御信号線３５を介して第１コントローラ３６に接続されている。温度センサ３９は、除湿機能再生ゾーン２１のデシカントローター１７に給気される加熱空気の温度を計測し、計測した第１計測温度をコントローラ３６に送信する。
【００４５】
デシカントローター１７は、デシカント空調機１１の除湿処理ゾーン２０および除湿機能再生ゾーン２１に配置されている。デシカントローター１７は、円筒筐体の内部に除湿剤（図示せず）が収容され、デシカント空調機１１の内部において一方向へ回転し、除湿処理ゾーン２０および除湿機能再生ゾーン２１を繰り返し移動する。除湿剤には、ゼオライトやシリカゲルが使用されている。
【００４６】
デシカントローター１７は、除湿処理ゾーン２０に位置する部分が除湿域４０となり、除湿機能再生ゾーン２１に位置する部分が放湿域４１となる。除湿処理ゾーン２０に位置するデシカントローター１７の除湿域４０では、空気に含まれる湿気を除湿剤に吸着（吸湿）させて除湿空気を作る。除湿機能再生ゾーン２１に位置するデシカントローター１７の放湿域４１では、湿気を吸着した除湿剤に加熱空気を通流させて除湿剤を加熱し、除湿剤から湿気を放出させて除湿剤の除湿機能を再生する。
【００４７】
第２熱交換機構１３は、除湿機能再生ゾーン２１に位置するデシカントローター１７の下流側に配置されている。第２熱交換機構１３は、熱交換コイル４２を備え、その熱交換コイル４２が第４ダクト２５の内部に設置されている。第２熱交換機構１３の熱交換コイル４２には、熱交換器３０の熱交換コイル３７から延びる循環管３８が連結されている。なお、熱交換コイル４２がデシカントローター１７の下流側の除湿機能再生ゾーン２１（デシカント空調機１１の内部）に設置されていてもよい。
【００４８】
第２熱交換機構１３では、熱交換コイル４２を流動する冷媒（水やブライン）を利用して第４ダクト２５に流入した空気（除湿機能再生ゾーン２１のデシカントローター１７の放湿域４１を通流した加熱空気）と熱交換を行い、加熱空気の熱（排熱）を回収する。なお、第１熱交換機構１２と第２熱交換機構１３との間に延びる循環管３８には、循環ポンプ５７が設置されている。
【００４９】
第３熱交換機構１４は、除湿処理ゾーン２０に位置するデシカントローター１７の上流側に配置されている。第３熱交換機構１４は、熱交換コイル４３を備え、その熱交換コイル４３が第１ダクト２２の内部に設置されている。第３熱交換機構１４の熱交換コイル４３には、往管４４と還管４５とが連結されている。往管４４および還管４５は、熱交換器３０の熱交換コイル３７から延びる循環管３８に連結されている。
【００５０】
第３熱交換機構１４では、熱交換コイル４３を流動する冷媒（水やブライン）を利用して第１ダクト２２に流入する空気（除湿処理ゾーン２０のデシカントローター１７の除湿域４０に給気する空気）と熱交換を行い、その空気を冷却し、その結果として空気に含まれる湿気が除去され、空気の湿度を低下させる。往管４４と循環管３８との連結箇所には、三方弁４６（電動弁）が設置されている。三方弁４６は、その制御部（図示せず）が制御信号線４７を介して第２コントローラ４８に接続されている。
【００５１】
第２コントローラ４８は、中央処理装置とメモリとを有するコンピュータである。コントローラ４８のメモリには、デシカントローター１７の除湿域４０に給気される空気の第２設定温度（約２７〜約２９℃、好ましくは、約２８℃）が格納されている。コントローラ４８は、後記する第２温度センサ４９から送信された第２計測温度と第２設定温度とを比較し、その結果に基づいて三方弁４６の弁機構の開閉を行うとともに、三方弁４６の弁機構の開度を調節する。
【００５２】
第２コントローラ４８が三方弁４６の弁機構を開放させる開放信号を三方弁４６の制御部に送ると、制御部が三方弁４６の弁機構を開放する。コントローラ４８が三方弁４６の弁機構を閉鎖させる閉鎖信号を三方弁４６の制御部に送ると、制御部が三方弁４６の弁機構を閉鎖する。コントローラ４８が三方弁４６の弁機構の開度に対応する開度信号（開度増加信号または開度減少信号）を制御部に送ると、制御部が三方弁４６の弁機構の開度を開度信号によって指定された開度に変更し、変更した開度を維持する。
【００５３】
外調機１８は、デシカント空調機１１と第３熱交換機構１４との間に延びる第１ダクト２２に設置されている。第３熱交換機構１４と外調機１８との間の第１ダクト２２の内部には、第２温度センサ４９が設置されている。温度センサ４９は、制御信号線４７を介して第２コントローラ４８に接続されている。温度センサ４９は、第３熱交換機構１４の下流側に延びる第１ダクト２２を流動する空気（除湿処理ゾーン２０のデシカントローター１７に給気される空気）の温度を計測し、計測した第２計測温度をコントローラ４８に送信する。
【００５４】
第４熱交換機構１５は、除湿処理ゾーン２０に位置するデシカントローター１７の下流側に配置されている。第４熱交換機構１５は、熱交換コイル５０を備え、その熱交換コイル５０がデシカント空調機１１の除湿処理ゾーン２０に設置されている。第４熱交換機構１５の熱交換コイル５０には、往管５１と還管５２とが連結されている。往管５１および還管５２は、熱交換器３０の熱交換コイル３７から延びる循環管３８に連結されている。
【００５５】
第４熱交換機構１５では、熱交換コイル５０を流動する冷媒（水やブライン）を利用して除湿処理ゾーン２０を流動する空気（除湿処理ゾーン２０のデシカントローター１７の除湿域４０から流出した空気）と熱交換を行い、その空気を冷却し、空気の温度を低下させる。往管５１と循環管３８との連結箇所には、三方弁５３（電動弁）が設置されている。三方弁５３は、その制御部（図示せず）が制御信号線５４を介して第３コントローラ５５に接続されている。なお、第１熱交換機構１２や第３熱交換機構１４、第４熱交換機構１５が別々の第１〜第３コントローラ３６，４８，５５によって制御される場合を図示しているが、それら熱交換機構１２，１４，１５が１つのコントローラによって制御される場合もある。
【００５６】
第３コントローラ５５は、中央処理装置とメモリとを有するコンピュータである。コントローラ５５のメモリには、デシカントローター１７の除湿域４０から流出し、第４熱交換機構１５を通流した空気の第３設定温度（約２４〜約２６℃、好ましくは、約２５℃）が格納されている。コントローラ５５は、後記する第３温度センサ４９から送信された第３計測温度と第３設定温度とを比較し、その結果に基づいて三方弁５３の弁機構の開閉を行うとともに、三方弁５３の弁機構の開度を調節する。
【００５７】
第３コントローラ５５が三方弁５３の弁機構を開放させる開放信号を三方弁５３の制御部に送ると、制御部が三方弁５３の弁機構を開放する。コントローラ５５が三方弁５３の弁機構を閉鎖させる閉鎖信号を三方弁５３の制御部に送ると、制御部が三方弁５３の弁機構を閉鎖する。コントローラ５５が三方弁５３の弁機構の開度に対応する開度信号（開度増加信号または開度減少信号）を制御部に送ると、制御部が三方弁５３の弁機構の開度を開度信号によって指定された開度に変更し、変更した開度を維持する。
【００５８】
第４熱交換機構１５と第２ダクト２３との間のデシカント空調機１１の除湿処理ゾーン２０には、第３温度センサ５６が設置されている。温度センサ５６は、制御信号線５４を介して第３コントローラ５５に接続されている。温度センサ５６は、第４熱交換機構１４の下流側に延びるデシカント空調機１１の除湿処理ゾーン２０を流動する空気（除湿処理ゾーン２０のデシカントローター１７の除湿域４０から流出し、第４熱交換機構１５を通流した空気）の温度を計測し、計測した第３計測温度をコントローラ５５に送信する。
【００５９】
図４は、除湿システム１０Ａの運転状態の一例を示す図である。図４では、除湿空調空間１９の図示を省略している。図４の運転状態では、第２コントローラ４８から三方弁４６の弁機構を開放させる開放信号が送られ、三方弁４６の弁機構が全開または所定開度に開放されている。また、第３コントローラ５５から三方弁５３の弁機構を開放させる開放信号が送られ、三方弁５３の弁機構が全開または所定開度に開放されている。
【００６０】
除湿システム１０Ａが起動すると、デシカント空調機１１が稼働し、第１熱交換機構１２のヒートポンプユニット２９やヒーター１６が稼働するとともに、循環ポンプ５７が稼働する。さらに、各温度センサ３９，４９，５６が温度計測を開始し、各コントローラ３６，４８，５５が稼働する。循環ポンプ５７が稼働すると、冷媒が循環管３８を環流する。デシカント空調機１１が稼働すると、給気用送風機２６や排気用送風機２７が起動し、デシカントローター１７が一方向へ回転を開始する。
【００６１】
除湿システム１０Ａでは、排気用送風機２７によって空気（外気）が第３ダクト２４を通ってデシカント空調機１１の除湿機能再生ゾーン２１に流入する。除湿機能再生ゾーン２１に配置された第１熱交換機構１２では、ヒートポンプユニット２９のコンプレッサー２８によって冷媒（ＣＯ２）が往管３３および還管３４（コンプレッサー２８、凝縮器３１、蒸発器３２、膨張弁）を環流し、凝縮器３１によって除湿機能再生ゾーン２１に流入した空気が加熱され、所定温度の加熱空気が作られる。
【００６２】
第１熱交換機構１２の熱交換機３０では、ヒートポンプユニット２９の蒸発器３２と熱交換コイル３７との間で熱交換が行われ、循環管３８から熱交換コイル３７に流入した冷媒（約２５℃の水またはブライン）が所定温度（約２０℃）に冷却されてその冷媒が再び循環管３８に流出し、循環管３８を通って第２〜第４熱交換機構１３〜１５に送られる。
【００６３】
第１熱交換機構１２（ヒートポンプユニット２９の凝縮器３１）によって加熱された加熱空気は、除湿機能再生ゾーン２１を通ってゾーン２１に位置するデシカントローター１７の放湿域４１を通流する。加熱空気が放湿域４１を通流する際、デシカントローター１７の放湿域４１に存在する除湿剤が加熱空気によって加熱され、除湿剤に吸着された湿気が放出されることで、デシカントローター１７（除湿剤）の除湿機能が再生（乾燥による吸着性能の回復）する。
【００６４】
第１温度センサ３９によって計測された加熱空気の温度が第１コントローラ３６に送られ、コントローラ３６が温度センサ３９によって計測された加熱空気（デシカントローター１７の放湿域４１に給気される空気）の第１計測温度とメモリに格納された第１設定温度（約１２０℃〜約１３０℃）とを比較する。
【００６５】
コントローラ３６は、第１計測温度が第１設定温度の範囲内に入るように、ヒーター１６やヒートポンプユニット２９のコンプレッサー２８に対してフィードバック制御やフィードフォワード制御を行う。コントローラ３６は、第１計測温度と第１設定温度とを比較した結果、第１計測温度が第１設定温度の範囲内にある場合、そのときの第１熱交換機構１２（ヒートポンプユニット２９のコンプレッサー２８）の運転状態やヒーター１６が稼働している場合はヒーター１６の運転状態を維持する。
【００６６】
第１コントローラ３６は、第１計測温度と第１設定温度とを比較した結果、第１計測温度が第１設定温度を下回る場合（外気空気や除湿空調空間１９からの還気空気が低温になり、または、ヒートポンプユニット２９やヒーター１６の不調になる等の外乱によって第１計測温度が第１設定温度を下回った場合を含む）、ヒーター１６が稼働していない場合はヒーター１６を稼働させるヒーター稼働手段と、ヒーター１６が稼働している場合は稼働中のヒーター１６の熱量（出力）を増加させる熱量増加手段と、ヒートポンプユニット２９の仕事量を増加させる仕事量増加手段とのうちの少なくとも１つを実施する。
【００６７】
ヒーター稼働手段においてコントローラ３６は、ＯＮ信号（稼働信号）をヒーター１６の制御部に送り、ヒーター１６を稼働させる。ヒーター１６が稼働することで、第１熱交換機構１２によって加熱された加熱空気がヒーター１６によってさらに加熱され、加熱空気の第１計測温度が第１設定温度の範囲内に入る。熱量増加手段においてコントローラ３６は、熱量増加信号をヒーター１６の制御部に送り、ヒーター１６の熱量を増加させる。ヒーター１６の熱量が増加すると、第１熱交換機構１２によって加熱された加熱空気がヒーター１６によって一層加熱され、加熱空気の第１計測温度が第１設定温度の範囲内に入る。
【００６８】
仕事量増加手段においてコントローラ３６は、回転数増加信号をヒートポンプユニット２９の制御部に送り、コンプレッサー２８の回転数を増加させてヒートポンプユニット２９の仕事量を増加させる。ヒートポンプユニット２９の仕事量が増加することで空気が一層加熱され、加熱空気の第１計測温度が第１設定温度の範囲内に入る。
【００６９】
第１コントローラ３６は、第１計測温度と第１設定温度とを比較した結果、第１計測温度が第１設定温度を上回る場合（外気空気や除湿空調空間１９からの還気空気が高温になり、または、ヒートポンプユニット２９やヒーター１６の不調になる等の外乱によって第１計測温度が第１設定温度を上回った場合を含む）、ヒーター１６が稼働している場合はヒーター１６を停止させるヒーター停止手段と、稼働中のヒーター１６の熱量（出力）を減少させる熱量減少手段と、ヒートポンプユニット２９の仕事量を減少させる仕事量減少手段とのうちの少なくとも１つを実施する。
【００７０】
ヒーター停止手段においてコントローラ３６は、ＯＦＦ信号（停止信号）をヒーター１６の制御部に送り、ヒーター１６を停止させる。ヒーター１６が停止することで、ヒーター１６による加熱空気の加熱が停止し、加熱空気の第１計測温度が第１設定温度の範囲内に入る。熱量減少手段においてコントローラ３６は、熱量減少信号をヒーター１６の制御部に送り、ヒーター１６の熱量を減少させる。ヒーター１６の熱量が減少すると、ヒーター１６による加熱空気の加熱が弱くなり、加熱空気の第１計測温度が第１設定温度の範囲内に入る。
【００７１】
仕事量減少手段においてコントローラ３６は、回転数減少信号をヒートポンプユニット２９の制御部に送り、コンプレッサー２８の回転数を減少させてヒートポンプユニット２９の仕事量を減少させる。ヒートポンプユニット２９の仕事量が減少することで第１熱交換機構１２による空気の加熱が弱くなり、加熱空気の第１計測温度が第１設定温度の範囲内に入る。
【００７２】
デシカントローター１７の放湿域４１を通流した加熱空気は、除湿機能再生ゾーン２１から第４ダクト２５に流入し、第４ダクト２５から外気に放出される。その際に第２熱交換機構１３の熱交換コイル４２を流動する冷媒と第４ダクト２５に流入した加熱空気との間で熱交換が行われ、加熱空気の排熱（交換熱）（コメント：クレームで交換熱という言葉を使っていますので、交換熱もそのまま記載しておきます）が第２熱交換機構１３によって回収される。回収された交換熱は、冷媒によって熱交換機３０の熱交換コイル３７に運ばれる。
【００７３】
除湿システム１０Ａでは、給気用送風機２６によって空気（外気、または、外気および除湿空調空間１９から排気された還気空気）が第１ダクト２２に流入する。三方弁４６の弁機構が第３熱交換機構１４の熱交換コイル４３側に開放されているから、図４に矢印Ｌ１で示すように、熱交換機３０の熱交換コイル３７によって熱交換された冷媒（約２０℃）が往管４４を通って第３熱交換機構１４の熱交換コイル４３に流入するとともに、還管４５を通って循環管３８に流入する。
【００７４】
第３熱交換機構１４では、熱交換コイル４３を流動する冷媒と第１ダクト２２に流入した空気（除湿処理ゾーン２０のデシカントローター１７の除湿域４０に給気する空気）との間で熱交換が行われ、空気の温度が低下し、それによって空気に含まれる湿気が除去されて空気の湿度が低下するとともに、空気の交換熱が第３熱交換機構１４によって回収される。回収された交換熱は、冷媒によって第２熱交換機構１３を経由しつつ熱交換機３０の熱交換コイル３７に運ばれる。
【００７５】
第２温度センサ４９によって計測された空気の温度が第２コントローラ４８に送られ、コントローラ４８が温度センサ４９によって計測された空気の第２計測温度とメモリに格納された第２設定温度（２７℃〜２９℃、好ましくは、２８℃）とを比較する。コントローラ４８は、第２計測温度が第２設定温度の範囲内に入るように、第３熱交換機構１４に対してフィードバック制御やフィードフォワード制御を行う。コントローラ４８は、第２計測温度と第２設定温度とを比較した結果、第２計測温度が第２設定温度の範囲内にある場合、そのときの三方弁４６の弁機構の開度を維持し、熱交換コイル４３に流入する冷媒の流入量を維持する。
【００７６】
第２コントローラ４８は、第２計測温度と第２設定温度とを比較した結果、第２計測温度が第２設定温度を上回る場合（外気や除湿空調空間１９の還気空気が高温になる等の外乱によって第２計測温度が第２設定温度を上回った場合を含む）、三方弁４６の弁機構の開度を現在のそれよりも大きくする開度信号を送り、三方弁４６の弁機構の開度を開度信号によって指定した開度に変更し、熱交換コイル４３に流入する冷媒の流入量を多くする流入量調節手段を実施する。
【００７７】
三方弁４６の弁機構の開度が大きくなることで、第３熱交換機構１４の熱交換コイル４３に流入する冷媒の流入量が多くなり、第１ダクト２２を流動する空気と熱交換コイル４３に流れる冷媒との間の熱交換の割合が増加して空気が一層冷却され、空気の第２計測温度が第２設定温度の範囲内に入る。
【００７８】
除湿システム１０Ａは、第２温度センサ４９が計測した空気の第２計測温度が第２設定温度の範囲を上回ると、第３熱交換機構１４における除湿機能が低下してデシカントローター１７の除湿域４０に給気する空気を十分に冷却（除湿）することができないが、第３熱交換機構１４（熱交換コイル４３）に流入する冷媒の流入量を多くすることで、第３熱交換機構１４における除湿機能を上昇させることができ、デシカントローター１７に給気する空気を確実に冷却することができる。
【００７９】
第３熱交換機構１４の熱交換コイル４３によって温度が冷却（湿気が除去）された空気は、外調機１８に流入し、外調機１８によって空気の湿気がさらに除去されるとともに空気が所定温度に冷却される。除湿システム１０Ａは、外調機１８を利用することで、第３熱交換機構１４における除湿機能や第４熱交換機構１５における空気冷却による除湿機能を補うことができる。
【００８０】
外調機１８によって湿気が除去されるとともに所定温度に冷却された空気は、外調機１８からデシカント空調機１１の除湿処理ゾーン２０に流入する。除湿処理ゾーン２０に流入した空気は、除湿処理ゾーン２０に位置するデシカントローター１７の除湿域４０を通流する。空気が除湿域４０を通流することで、空気の湿気が除湿剤によって除去されて除湿空気（低露点空気を含む）が作られる。
【００８１】
除湿空気は、デシカントローター１７の下流側に延びる除湿処理ゾーン２０に流入する。三方弁５３の弁機構が第４熱交換機構１５の熱交換コイル５０側に開放されているから、図４に矢印Ｌ２で示すように、熱交換機３０の熱交換コイル３７によって熱交換された冷媒（約２０℃）が往管５１を通って第４熱交換機構１５の熱交換コイル５０に流入するとともに、還管５２を通って循環管３８に流入する。
【００８２】
第４熱交換機構１５では、熱交換コイル５０を流動する冷媒と除湿空気（除湿空調空間１９に給気する除湿空気）との間で熱交換が行われ、除湿空気の温度が低下するとともに、除湿空気の交換熱が第４熱交換機構１５によって回収される。回収された交換熱は、冷媒によって第３熱交換機構１４と第２熱交換機構１３とを経由しつつ熱交換機３０の熱交換コイル３７に運ばれる。温度が低下した除湿空気は、第２ダクト２３を通って除湿空調空間１９に給気される。
【００８３】
第３温度センサ５６によって計測された空気の温度が第３コントローラ５５に送られ、コントローラ５５が温度センサ５６によって計測された空気の第３計測温度とメモリに格納された第３設定温度（約２４〜約２６℃、好ましくは、約２５℃）とを比較する。コントローラ５５は、第３計測温度が第３設定温度の範囲内に入るように、第４熱交換機構１５に対してフィードバック制御やフィードフォワード制御を行う。コントローラ５５は、第３計測温度と第３設定温度とを比較した結果、第３計測温度が第３設定温度の範囲内にある場合、そのときの三方弁５３の弁機構の開度を維持し、熱交換コイル５０に流入する冷媒の流入量を維持する。
【００８４】
第３コントローラ５５は、第３計測温度と第３設定温度とを比較した結果、第３計測温度が第３設定温度を上回る場合（デシカントローター１７の除湿域４０からの放出熱等の外乱によって第３計測温度が第３設定温度を上回った場合を含む）、三方弁５３の弁機構の開度を現在のそれよりも大きくする開度信号を送り、三方弁５３の弁機構の開度を開度信号によって指定した開度に変更し、熱交換コイル５０に流入する冷媒の流入量を多くする流入量調節手段を実施する。三方弁５３の弁機構の開度が大きくなることで、第４熱交換機構１５の熱交換コイル５０に流入する冷媒の流入量が多くなり、除湿空気と熱交換コイル５０に流れる冷媒との間の熱交換の量が増加して空気が一層冷却され、空気の第３計測温度が第３設定温度の範囲内に入る。
【００８５】
除湿システム１０Ａは、第３温度センサ５６が計測した空気の第３計測温度が第３設定温度の範囲を上回る場合、第４熱交換機構１５を利用して除湿空気を第３設定温度まで冷却することができないが、その場合に第４熱交換機構１５（熱交換コイル５０）に流入する冷媒の流入量を多くすることで、第４熱交換機構１５によって除湿空気を確実に冷却することができ、第４熱交換機構１５によって温度が低下した第３設定温度（目標温度）の除湿空気を除湿空調空間１９に給気することができる。
【００８６】
除湿システム１０Ａは、除湿機能再生ゾーン２１のデシカントローター１７の放湿域４１を通流した排気空気の排熱（交換熱）を第２熱交換機構１３が冷媒を利用して回収し、除湿処理ゾーン２０のデシカントローター１７の除湿域４０に給気する空気の交換熱を第３熱交換機構１４が冷媒を利用して回収するとともに、除湿処理ゾーン２０のデシカントローター１７の除湿域４０を通流した除湿空気の交換熱を第４熱交換機構１５が冷媒を利用して回収し、第２〜第４熱交換機構１３〜１５によって回収された交換熱が冷媒を利用して熱交換機３０内の熱交換コイル３７に供給され、ヒートポンプユニット２９を利用した第１熱交換機構１２と熱交換コイル３７との間で熱交換が行われることで、加熱空気の交換熱が第１熱交換機構１２（凝縮器３１）における空気の加熱に利用されるから、デシカントローター１７（除湿剤）の除湿機能を再生させた後の排気空気やデシカントローター１７の除湿域４０に給気する空気、デシカントローター１７の除湿域４０を通流した除湿空気が有する交換熱を無駄にすることはなく、それら空気の交換熱を再利用することができ、それら空気の交換熱を利用しない場合と比較し、デシカントローター１７（除湿剤）の放湿域４１に給気する空気を第１熱交換機構１２において十分に加熱することができる。
【００８７】
除湿システム１０Ａは、それら空気の交換熱を受け取った冷媒を利用してその交換熱を熱交換器３０の熱交換コイル３７から第１熱交換機構１２に伝えることができ、交換熱を第１熱交換機構１２のヒートポンプユニット２９において有効に利用することができるから、外気の温度と湿度とが低い冬期であって第３熱交換機構１４や第４熱交換機構１５における冷却（除湿）の必要性が低い条件下であっても、第２熱交換機構１３において冷媒を加熱でき、ヒートポンプユニット２９における冷凍サイクルの熱収支バランスを良好にしてヒートポンプユニット２９の運転効率（ＣＯＰ）を向上させることができるとともに、ヒートポンプユニット２９を安定して運転することができる。除湿システム１０Ａは、それら空気の交換熱を第１熱交換機構１２における空気の加熱に利用することで、外気の温度が低い冬期であってもデシカントローター１７の放湿域４１に給気する空気を十分に加熱することができ、その加熱空気を利用してデシカントローター１７（除湿剤）の除湿機能を確実に再生することができる。
【００８８】
除湿システム１０Ａは、第１〜第４熱交換機構１２〜１５の間において交換熱および冷熱の循環回路が形成され、冷媒を利用して交換熱および冷熱をその回路に循環させることで、交換熱や冷熱の有効利用を図ることができ、システム１０Ａの省エネルギー化とヒートポンプユニット２９の安定運転とを実現することができる。除湿システム１０Ａは、熱交換コイル３７において熱交換に利用される冷媒として水やブラインが使用されており、安全性かつ安定した汎用性を備えた水冷媒やブラインを利用することで、第３熱交換機構１５や第４熱交換機構１５において水冷媒やブラインの流入を停止させた場合、または、第３熱交換機構１５や第４熱交換機構１５において水冷媒やブラインの流入量を減少させた場合、その水冷媒やブラインを他の冷熱配管系に導入し、その水冷媒やブラインを他の冷熱配管系において容易に利用することができ、冷媒を介して排熱（交換熱）の有効利用を図ることができる。
【００８９】
除湿システム１０Ａは、第１熱交換機構１２と熱交換した後の熱交換コイル３７から供給される冷熱を利用し、除湿処理ゾーン２０に位置するデシカントローター１７の除湿域４０に給気する空気と第３熱交換機構１４との間で熱交換を行うことで、デシカントローター１７の除湿域４０に給気する空気を冷却することができ、その結果として空気を除湿することができるから、第３熱交換機構１４によって１４の冷却機能によって温度が低下しかつ湿気が除去された空気をデシカントローター１７に給気することができ、デシカントローター１７（除湿剤）において除湿空気を容易に作ることができる。
【００９０】
除湿システム１０Ａは、第１熱交換機構１２と熱交換した後の熱交換コイル３７から供給される冷熱を利用し、除湿処理ゾーン２０に位置するデシカントローター１７の除湿域４０を通流した除湿空気と第４熱交換機構１５との間で熱交換を行うことで、除湿空気を冷却することができるから、第４熱交換機構１５によって温度が低下した第３設定温度（目標温度）の除湿空気を除湿空調空間１９に給気することができ、その除湿空気によって除湿空調空間１９の乾燥状態を維持することができるとともに、除湿空調空間１９を目標温度に冷房することができる。
【００９１】
図５は、除湿システム１０Ａの運転状態の他の一例を示す図である。図５では、除湿空調空間１９の図示を省略している。第２コントローラ４８は、第２温度センサ４９が計測した空気の第２計測温度とメモリに格納された第２設定温度とを比較した結果、第２計測温度が第２設定温度を下回る場合、または、第２計測温度を第２設定温度の範囲内に維持し得る場合、流入停止手段と流入量減少手段とのいずれか一方を実施する。流入停止手段では、三方弁４６の弁機構を閉鎖させる閉鎖信号を三方弁４６の制御部に送り、三方弁４６の弁機構を閉鎖させ、第３熱交換機構１４への冷媒の流入を停止させる。流入量減少手段では、三方弁４６の弁機構の開度を小さくする開度減少信号を三方弁４６の制御部に送り、三方弁４６の弁機構の開度を小さくし、第３熱交換機構１４への冷媒の流入量を直近のそれよりも減少させる。
【００９２】
三方弁４６の弁機構が閉鎖すると、熱交換コイル３７によって熱交換された冷媒の往管４４への流入が停止し、熱交換コイル４３への冷媒の流入が停止する。冷媒は、第３熱交換機構１４に流入することなく、図５に矢印Ｌ３で示すように、循環管３８を通って第２熱交換機構１３に流入する。また、三方弁４６の弁機構の開度が小さくなると、熱交換コイル３７によって熱交換された冷媒の往管４４への流入量が減少する。第２計測温度が第２設定温度を下回り、または、第２計測温度を第２設定温度の範囲内に維持し得る限り、三方弁４６の弁機構の閉鎖状態または三方弁４６の弁機構の開度を小さくした変更後の開度が維持される。
【００９３】
三方弁４６の弁機構の閉鎖中に、第２計測温度が第２設定温度を上回った場合、第２コントローラ４８は、三方弁４６の弁機構を熱交換コイル４３側に開放させる開放信号を三方弁４６の制御部に送り、三方弁４６の弁機構を全開または所定開度に開放させ、第３熱交換機構１４への冷媒の流入を開始させる流入開始手段を実施する。三方弁４６の弁機構が熱交換コイル４３側に開放されると、冷媒が往管４４を通って熱交換コイル４３へ流入し、第３熱交換機構１４と空気との間で熱交換が再開され、第３熱交換機構１４によって空気の温度が低下し（空気の湿気が除去され）、第２計測温度が第２設定温度の範囲内に入る。三方弁４６の弁機構の開度を小さくした状態で第２計測温度が第２設定温度を上回った場合、第２コントローラ４８は、三方弁４６の弁機構の開度を大きくする開度増加信号を三方弁４６の制御部に送り、三方弁４６の弁機構の開度を大きくさせ、第３熱交換機構１４への冷媒の流入量を増加させる流入量増加手段を実施する。三方弁４６の弁機構の開度が大きくなると、冷媒の熱交換コイル４３への流入量が増加し、第３熱交換機構１４と空気との間における熱交換の量が多くなり、第２計測温度が第２設定温度の範囲内に入る。
【００９４】
第３コントローラ５５は、第３温度センサ５６が計測した除湿空気の第３計測温度とメモリに格納された第３設定温度とを比較した結果、第３計測温度が第３設定温度を下回る場合、または、第３計測温度を第３設定温度の範囲内に維持し得る場合、流入停止手段と流入量減少手段とのいずれか一方を実施する。流入停止手段では、三方弁５３の弁機構を閉鎖させる閉鎖信号を三方弁５３の制御部に送り、三方弁５３の弁機構を閉鎖させ、第４熱交換機構１５への冷媒の流入を停止させる。流入量減少手段では、三方弁５３の弁機構の開度を小さくする開度減少信号を三方弁５３の制御部に送り、三方弁５３の弁機構の開度を小さくし、第４熱交換機構１５への冷媒の流入量を直近のそれよりも減少させる。
【００９５】
三方弁５３の弁機構が閉鎖すると、熱交換コイル３７によって熱交換された冷媒の往管５１への流入が停止し、熱交換コイル５０への冷媒の流入が停止する。冷媒は、第４熱交換機構１５に流入することなく、図５に矢印Ｌ４で示すように、循環管３８を通って第２熱交換機構１３に流入する。また、三方弁５３の弁機構の開度が小さくなると、熱交換コイル３７によって熱交換された冷媒の往管５１への流入量が減少する。第３計測温度が第３設定温度を下回り、または、第３計測温度を第３設定温度の範囲内に維持し得る限り、三方弁５３の弁機構の閉鎖状態または三方弁５３の弁機構の開度を小さくした変更後の開度が維持される。
【００９６】
三方弁５３の弁機構の閉鎖中に、第３計測温度が第３設定温度を上回った場合、第３コントローラ５５は、三方弁５３の弁機構を熱交換コイル５０側に開放させる開放信号を三方弁５３の制御部に送り、三方弁５３の弁機構を全開または所定開度に開放させ、第４熱交換機構１５への冷媒の流入を開始させる流入開始手段を実施する。三方弁５３の弁機構が熱交換コイル５０側に開放されると、冷媒が往管５１を通って熱交換コイル５０へ流入し、第４熱交換機構１５と除湿空気との間で熱交換が再開され、第４熱交換機構１５によって除湿空気の温度が低下し、第３計測温度が第３設定温度の範囲内に入る。三方弁５３の弁機構の開度を小さくした状態で第３計測温度が第３設定温度を上回った場合、第３コントローラ５５は、三方弁５３の弁機構の開度を大きくする開度増加信号を三方弁５３の制御部に送り、三方弁５３の弁機構の開度を大きくさせ、第４熱交換機構１５への冷媒の流入量を増加させる流入量増加手段を実施する。三方弁５３の弁機構の開度が大きくなると、冷媒の熱交換コイル５０への流入量が増加し、第４熱交換機構１５と除湿空気との間における熱交換の量が多くなり、第３計測温度が第３設定温度の範囲内に入る。
【００９７】
除湿システム１０Ａは、外気空気が低温かつ乾燥する冬期において第２温度センサ４９が計測した空気の第２計測温度が第２設定温度の範囲を下回る場合、または、第２計測温度を第２設定温度の範囲内に維持し得る場合、第３熱交換機構１４を利用して空気の温度を低下させる（除湿する）必要がなく、その場合、第３熱交換機構１４への冷媒の流入を停止させ、または、第３熱交換機構１４に流入する冷媒の流入量を減少させ、冷媒（水またはブライン）を他の冷熱配管系に導入することで、冷媒の冷熱を他の冷熱配管系に利用することができ、システム１０Ａの省エネルギー化とヒートポンプユニット２９の安定運転とを実現することができる。除湿システム１０Ａは、三方弁４６の弁機構の閉鎖中または弁機構の開度を小さくした状態において、第３計測温度が第３設定温度を上回った場合、三方弁４６の弁機構を熱交換コイル４３側に再び開放し、または、弁機構の開度を大きくするから、第３熱交換機構１４と空気との間の熱交換が再開され、または、第３熱交換機構１４と空気との間の熱交換の量が多くなり、第３熱交換機構１４によって第２設定温度（目標温度）に冷却された空気（湿気が除去された空気）を再びデシカントローター１７に給気することができる。
【００９８】
除湿システム１０Ａは、第３温度センサ５６が計測した空気の第３計測温度が第３設定温度の範囲を下回る場合、または、第３計測温度を第３設定温度の範囲内に維持し得る場合、第４熱交換機構１５を利用して除湿空気を冷却する必要がなく、その場合、第４熱交換機構１５への冷媒の流入を停止させ、または、第４熱交換機構１５に流入する冷媒の流入量を減少させ、冷媒（水またはブライン）を他の冷熱配管系に導入することで、冷媒の冷熱を他の冷熱配管系に利用することができ、システム１０Ａの省エネルギー化とヒートポンプユニット２９の安定運転とを実現することができる。除湿システム１０Ａは、三方弁５３の弁機構の閉鎖中または弁機構の開度を小さくした状態において、第４計測温度が第４設定温度を上回った場合、三方弁５３の弁機構を熱交換コイル５０側に再び開放し、または、弁機構の開度を大きくするから、第４熱交換機構１５と除湿空気との間の熱交換が再開され、または、第４熱交換機構１５と除湿空気との間の熱交換の量が多くなり、第４熱交換機構１５によって第３設定温度（目標温度）に冷却された除湿空気を除湿空調空間１９に給気することができる。
【００９９】
図６は、他の一例として示す除湿システム１０Ｂの構成図である。図６の除湿システム１０Ｂが図１のそれと異なるところは熱回収型ヒートポンプ５８を備えている点にあり、システム１０Ｂのその他の構成は図１のシステム１０Ａのそれらと同一であるから、システム１０Ａと同一の符号を付すとともに、システム１０Ａの説明を援用することで、システム１０Ｂのその他の構成の詳細な説明は省略する。
【０１００】
除湿システム１０Ｂは、デシカント空調機１１と第１〜第４熱交換機構１２〜１５とヒーター１６とデシカントローター１７（除湿機構）と外調機１８と熱回収型ヒートポンプ５８とを備えている。除湿システム１０Ｂは、図１のそれと同様に、湿度が低い除湿空気（低露点空気を含む）を作り、その除湿空気を除湿空調空間１９（図２，３援用）に給気する。
【０１０１】
デシカント空調機１１や第１〜第４熱交換機構１２〜１５、ヒーター１６、デシカントローター１７（除湿機構）、外調機１８は、図１のシステム１０Ａのそれらと同一である。ヒートポンプユニット２９は第１コントローラ３６に接続され、三方弁４６は第２コントローラ４８に接続されているとともに、三方弁５３は第３コントローラ５５に接続されている。
【０１０２】
熱回収型ヒートポンプ５８は、熱交換器３０に設置された熱交換コイル３７に接続されている。熱回収型ヒートポンプ５８には、冷媒（水またはブライン）が環流する循環管３８が連結されている。熱交換器３０に設置された熱交換コイル３７には、往管５９と還管６０とが連結されている。還管６０には、循環ポンプ６１が設置されている。往管５９と還管６０とは、熱回収型ヒートポンプ５８の内部に設置された熱交換コイル６２に連結されている。熱交換コイル３７と熱交換コイル６２との間では、往管５９と還管６０とを介して冷媒（水またはブライン）が環流する。
【０１０３】
除湿システム１０Ｂでは、ヒートポンプユニット２９の蒸発器３２と熱交換コイル３７との間で熱交換が行われ、往管５９を流れる所定温度（約２０℃）の冷媒が所定温度（約２５℃）になって還管６０を通って熱交換コイル６２に流入する。さらに、熱交換コイル６２と熱回収型ヒートポンプ５８との間で熱交換が行われ、所定温度（約７℃）の冷媒が循環管３８に流入する。
【０１０４】
図７は、除湿システム１０Ｂの運転状態の一例を示す図である。図７では、除湿空調空間１９の図示を省略している。図７の運転状態では、三方弁４６の弁機構が全開または所定開度に開放され、三方弁５３の弁機構が全開または所定開度に開放されている。第１熱交換機構１２では、ヒートポンプユニット２９のコンプレッサー２８によって冷媒（ＣＯ２）が往管３３および還管３４を環流し、凝縮器３１によって除湿機能再生ゾーン２１に流入した空気が加熱され、所定温度の加熱空気が作られる。
【０１０５】
除湿システム１０Ｂでは、ヒートポンプユニット２９の蒸発器３２と熱交換コイル３７との間で熱交換が行われ、往管５９から熱交換コイル３７に流入した冷媒（約２５℃の水またはブライン）が所定温度（約２０℃）に冷却されてその冷媒が還管６０に流入し、還管６０を通って熱交換コイル６２に送られる。さらに、熱交換コイル６２と熱回収型ヒートポンプ５８との間で熱交換が行われ、循環管３８から熱回収型ヒートポンプ５８に流入した冷媒（約１２℃の水またはブライン）が所定温度（約７℃）に冷却されてその冷媒が再び循環管３８に流出し、循環管３８を通って第２〜第４熱交換機構１３〜１５に送られる。
【０１０６】
第１熱交換機構１２（ヒートポンプユニット２９の凝縮器３１）によって加熱された加熱空気は、除湿機能再生ゾーン２１を通ってデシカントローター１７の放湿域４１を通流する。デシカントローター１７の放湿域４１に存在する除湿剤が加熱空気によって加熱され、除湿剤に吸着された湿気が放出されることで、デシカントローター１７（除湿剤）の除湿機能が再生（乾燥による吸着性能の回復）する。
【０１０７】
第１コントローラ３６は、温度センサ３９によって計測された加熱空気の第１計測温度と第１設定温度（約１２０℃〜約１３０℃）とを比較した結果、第１計測温度が第１設定温度の範囲内にある場合、ヒートポンプユニット２９のコンプレッサー２８の運転状態を維持するとともに、ヒーター１６が稼働している場合はヒーター１６の運転状態を維持する。
【０１０８】
第１コントローラ３６は、第１計測温度が第１設定温度を下回る場合（外気空気や除湿空調空間１９からの還気空気が低温になり、または、ヒートポンプユニット２９やヒーター１６、熱回収型ヒートポンプ５８の不調になる等の外乱によって第１計測温度が第１設定温度を下回った場合を含む）、図１のシステム１０Ａと同様に、ヒーター稼働手段、熱量増加手段、仕事量増加手段とのうちの少なくとも１つを実施する。コントローラ３６は、第１計測温度が第１設定温度を上回る場合（外気空気や除湿空調空間１９からの還気空気が高温になり、または、ヒートポンプユニット２９やヒーター１６、熱回収型ヒートポンプ５８の不調になる等の外乱によって第１計測温度が第１設定温度を上回った場合を含む）、図１のシステム１０Ａと同様に、ヒーター停止手段、熱量減少手段、仕事量減少手段のうちの少なくとも１つを実施する。
【０１０９】
デシカントローター１７の放湿域４１を通流した排気空気が除湿機能再生ゾーン２１から第４ダクト２５に流入し、第２熱交換機構１３の熱交換コイル４２を流動する冷媒と加熱空気との間で熱交換が行われ、加熱空気の交換熱が第２熱交換機構１３によって回収される。回収された交換熱は、冷媒によって熱回収型ヒートポンプ５８に運ばれる。
【０１１０】
第３熱交換機構１４では、熱交換コイル４３を流動する冷媒と第１ダクト２２に流入した空気との間で熱交換が行われ、空気が冷却されて空気の温度が低下し、その結果、空気に含まれる湿気が除去されて空気の湿度が低下する。第３熱交換機構１４では、空気の交換熱が回収される。回収された交換熱は、冷媒によって第２熱交換機構１３を経由しつつ熱回収型ヒートポンプ５８に運ばれる。
【０１１１】
第２コントローラ４８は、第２計測温度と第２設定温度（２７℃〜２９℃、好ましくは、２８℃）とを比較した結果、第２計測温度が第２設定温度の範囲内にある場合、熱交換コイル４３に流入する冷媒の流入量を維持する。コントローラ４８は、第２計測温度と第２設定温度とを比較した結果、第２計測温度が第２設定温度を上回る場合（外気や除湿空調空間１９の還気空気が高温になる等の外乱によって第２計測温度が第２設定温度を上回った場合を含む）、図１のシステム１０Ａと同様に、第３熱交換機構１４（熱交換コイル４３）に流入する冷媒の流入量を多くする流入量調節手段を実施する。除湿システム１０Ｂは、第２計測温度が第２設定温度の範囲を上回る場合、熱交換コイル４３に流入する冷媒の流入量を多くするから、第３熱交換機構１４における除湿機能を上昇させることができ、デシカントローター１７に給気する空気を確実に冷却（除湿）することができる。
【０１１２】
外調機１８によって湿気が除去されるとともに所定温度に冷却された空気は、外調機１８からデシカント空調機１１の除湿処理ゾーン２０に流入し、除湿処理ゾーン２０に位置するデシカントローター１７の除湿域４０を通流する。空気が除湿域４０を通流することで、空気の湿気が除湿剤によって除去されて除湿空気（低露点空気を含む）が作られる。
【０１１３】
第４熱交換機構１５では、熱交換コイル５０を流動する冷媒と除湿空気との間で熱交換が行われ、除湿空気の温度が低下する。第４熱交換機構１５では、除湿空気の交換熱が回収される。回収された交換熱は、冷媒によって第３熱交換機構１４と第２熱交換機構１３とを経由しつつ熱回収型ヒートポンプ５８に運ばれる。温度が低下した除湿空気は、第２ダクト２３を通って除湿空調空間１９に給気される。
【０１１４】
第３コントローラ５５は、第３計測温度と第３設定温度（約２４〜約２６℃、好ましくは、約２５℃）とを比較した結果、第３計測温度が第３設定温度の範囲内にある場合、熱交換コイル５０に流入する冷媒の流入量を維持する。コントローラ５５は、第３計測温度が第３設定温度を上回る場合（デシカントローター１７の除湿域４０からの放出熱等の外乱によって第３計測温度が第３設定温度を上回った場合を含む）、図１のシステム１０Ａと同様に、熱交換コイル５０に流入する冷媒の流入量を多くする流入量調節手段を実施する。除湿システム１０Ｂは、第３温度センサ５６が計測した空気の第３計測温度が第３設定温度の範囲を上回る場合、熱交換コイル５０に流入する冷媒の流入量を多くするから、第４熱交換機構１５によって除湿空気を確実に冷却することができ、温度が低下した第３設定温度（目標温度）の除湿空気を除湿空調空間１９に給気することができる。
【０１１５】
除湿システム１０Ｂは、除湿機能再生ゾーン２１のデシカントローター１７の放湿域４１を通流した排気空気の排熱（交換熱）を第２熱交換機構１３が冷媒を利用して回収し、除湿処理ゾーン２０のデシカントローター１７の除湿域４０に給気する空気の交換熱を第３熱交換機構１４が冷媒を利用して回収するとともに、除湿処理ゾーン２０のデシカントローター１７の除湿域４０を通流した除湿空気の交換熱を第４熱交換機構１５が冷媒を利用して回収し、第２〜第４熱交換機構１３〜１５によって回収された交換熱が冷媒を利用して熱回収型ヒートポンプ５８に供給され、熱交換コイル６２（熱交換コイル３７）と熱回収型ヒートポンプ５８との間で熱交換が行われるとともに、ヒートポンプユニット２９を利用した第１熱交換機構１２と熱交換コイル３７との間で熱交換が行われることで、加熱空気の交換熱が第１熱交換機構１２（凝縮器３１）における空気の加熱に利用されるから、デシカントローター１７（除湿剤）の除湿機能を再生させた後の排気空気やデシカントローター１７の除湿域４０に給気する空気、デシカントローター１７の除湿域４０を通流した除湿空気が有する交換熱を無駄にすることはなく、それら空気の交換熱を再利用することができ、それら空気の交換熱を利用しない場合と比較し、デシカントローター１７（除湿剤）の放湿域４１に給気する空気を第１熱交換機構１２において十分に加熱することができる。
【０１１６】
除湿システム１０Ｂは、それら空気の交換熱を受け取った冷媒を利用してその交換熱を熱回収型ヒートポンプ５８から熱交換コイル６２に伝えることができるとともに、交換熱を熱交換器３０の熱交換コイル３７から第１熱交換機構１２に伝えることができ、交換熱を第１熱交換機構１２のヒートポンプユニット２９において有効に利用することができるから、外気の温度と湿度とが低い冬期であって第３熱交換機構１４や第４熱交換機構１５における冷却（除湿）の必要性が低い条件下であっても、第２熱交換機構１３において冷媒を加熱でき、ヒートポンプユニット２９における冷凍サイクルの熱収支バランスを良好にしてヒートポンプユニット２９の運転効率（ＣＯＰ）を向上させることができるとともに、ヒートポンプユニット２９を安定して運転することができる。除湿システム１０Ｂは、それら空気の交換熱を第１熱交換機構１２における空気の加熱に利用することで、外気の温度が低い冬期であってもデシカントローター１７の放湿域４１に給気する空気を十分に加熱することができ、その加熱空気を利用してデシカントローター１７（除湿剤）の除湿機能を確実に再生することができる。
【０１１７】
除湿システム１０Ｂは、第１〜第４熱交換機構１２〜１５と熱回収型ヒートポンプ５８との間において交換熱および冷熱の循環回路が形成され、冷媒を利用して交換熱および冷熱をその回路に循環させることで、交換熱や冷熱の有効利用を図ることができ、システム１０Ｂの省エネルギー化とヒートポンプユニット２９の安定運転とを実現することができる。除湿システム１０Ｂは、熱回収型ヒートポンプ５８において熱交換に利用される冷媒として水やブラインが使用されており、安全性かつ安定した汎用性備えた水冷媒やブラインを利用することで、第３熱交換機構１５や第４熱交換機構１５において冷媒の流入を停止させた場合、または、第３熱交換機構１５や第４熱交換機構１５において水冷媒やブラインの流入量を減少させた場合、その水冷媒やブラインを他の冷熱配管系に導入し、その水冷媒やブラインを他の冷熱配管系において容易に利用することができ、冷媒を介して排熱（交換熱）の有効利用を図ることができる。
【０１１８】
除湿システム１０Ｂは、第１熱交換機構１２と熱交換するとともに熱交換コイル６２と熱交換した後の熱回収型ヒートポンプ５８から供給される冷熱（約７℃）を利用し、除湿処理ゾーン２０に位置するデシカントローター１７の除湿域４０に給気する空気と第３熱交換機構１４との間で熱交換を行うことで、デシカントローター１７の除湿域４０に給気する空気を冷却することができ、その結果として空気を除湿することができるから、第３熱交換機構１４の冷却機能によって温度が低下しかつ湿気が除去された空気をデシカントローター１７に給気することができ、デシカントローター１７（除湿剤）において除湿空気を容易に作ることができる。
【０１１９】
除湿システム１０Ｂは、第１熱交換機構１２と熱交換するとともに熱交換コイル６２と熱交換した後の熱回収型ヒートポンプ５８から供給される冷熱（約７℃）を利用し、除湿処理ゾーン２０に位置するデシカントローター１７の除湿域４０を通流した除湿空気と第４熱交換機構１５との間で熱交換を行うことで、除湿空気を冷却することができるから、第４熱交換機構１５によって温度が低下した除湿空気を除湿空調空間１９に給気することができ、その除湿空気によって除湿空調空間１９の乾燥状態を維持することができるとともに、除湿空調空間１９を目標温度に冷房することができる。
【０１２０】
図８は、除湿システム１０Ｂの運転状態の他の一例を示す図である。図８では、除湿空調空間１９の図示を省略している。第２コントローラ４８は、第２計測温度と第２設定温度とを比較した結果、第２計測温度が第２設定温度を下回る場合、または、第２計測温度を第２設定温度の範囲内に維持し得る場合、図１のシステム１０Ａと同様に、第３熱交換機構１４への冷媒の流入を停止させる流入停止手段と第３熱交換機構１４への冷媒の流入量を減少させる流入量減少手段とのいずれか一方を実施する。流入停止手段を実施すると、冷媒が第３熱交換機構１４に流入することなく、図８に矢印Ｌ３で示すように、冷媒が循環管３８を通って第２熱交換機構１３に流入する。流入量減少手段を実施すると、第３熱交換機構１４への冷媒の流入量が直近のそれよりも減少する。コントローラ４８は、三方弁４６の弁機構の閉鎖中または三方弁４６の弁機構の開度を小さくした状態において、第２計測温度が第２設定温度を上回った場合、図１のシステム１０Ａと同様に、第３熱交換機構１４への冷媒の流入を開始させる流入開始手段と第３熱交換機構１４への冷媒の流入量を増加させる流入量増加手段とのいずれか一方を実施する。流入開始手段を実施すると、冷媒が往管４４を通って熱交換コイル４３へ流入し、第３熱交換機構１４と空気との間で熱交換が再開される。流入量増加手段を実施すると、冷媒の熱交換コイル４３への流入量が増加し、第３熱交換機構１４と空気との間における熱交換の量が多くなる。
【０１２１】
第３コントローラ５５は、第３計測温度と第３設定温度とを比較した結果、第３計測温度が第３設定温度を下回る場合、または、第３計測温度を第３設定温度の範囲内に維持し得る場合、図１のシステム１０Ａと同様に、第４熱交換機構１５への冷媒の流入を停止させる流入停止手段と第４熱交換機構１５への冷媒の流入量を減少させる流入量減少手段とのいずれか一方を実施する。流入停止手段を実施すると、冷媒が第４熱交換機構１５に流入することなく、図８に矢印Ｌ４で示すように、冷媒が循環管３８を通って第２熱交換機構１３に流入する。流入量減少手段を実施すると、第４熱交換機構１５への冷媒の流入量が直近のそれよりも減少する。コントローラ４８は、三方弁５３の弁機構の閉鎖中または三方弁５３の弁機構の開度を小さくした状態において、第３計測温度が第３設定温度を上回った場合、図１のシステム１０Ａと同様に、第４熱交換機構１５への冷媒の流入を開始させる流入開始手段と第４熱交換機構１５への冷媒の流入量を増加させる流入量増加手段とのいずれか一方を実施する。流入開始手段を実施すると、冷媒が往管５１を通って熱交換コイル５０へ流入し、第４熱交換機構１５と除湿空気との間で熱交換が再開される。流入量増加手段を実施すると、冷媒の熱交換コイル５０への流入量が増加し、第４熱交換機構１５と除湿空気との間における熱交換の量が多くなる。
【０１２２】
除湿システム１０Ｂは、外気空気が低温かつ乾燥する冬期において第２計測温度が第２設定温度の範囲を下回る場合、または、第２計測温度を第２設定温度の範囲内に維持し得る場合、第３熱交換機構１４を利用して空気の温度を低下させる（除湿する）必要がないから、第３熱交換機構１４への冷媒の流入を停止させ、または、第３熱交換機構１４に流入する冷媒の流入量を減少させ、冷媒（水またはブライン）を他の冷熱配管系に導入することで、冷媒の冷熱を他の冷熱配管系に利用することができ、システム１０Ｂの省エネルギー化とヒートポンプユニット２９の安定運転とを実現することができる。除湿システム１０Ｂは、三方弁４６の弁機構の閉鎖中または弁機構の開度を小さくした状態において、第３計測温度が第３設定温度を上回った場合、三方弁４６の弁機構を熱交換コイル４３側に再び開放し、または、弁機構の開度を大きくするから、第３熱交換機構１４と空気との間の熱交換が再開され、または、第３熱交換機構１４と空気との間の熱交換の量が多くなり、第３熱交換機構１４によって第２設定温度（目標温度）に冷却された空気（湿気が除去された空気）を再びデシカントローター１７に給気することができる。
【０１２３】
除湿システム１０Ｂは、第３計測温度が第３設定温度の範囲を下回る場合、または、第３計測温度を第３設定温度の範囲内に維持し得る場合、第４熱交換機構１５を利用して除湿空気を冷却する必要がないから、第４熱交換機構１５への冷媒の流入を停止させ、または、第４熱交換機構１５に流入する冷媒の流入量を減少させ、冷媒（水またはブライン）を他の冷熱配管系に導入することで、冷媒の冷熱を他の冷熱配管系に利用することができ、システム１０Ｂの省エネルギー化とヒートポンプユニット２９の安定運転とを実現することができる。除湿システム１０Ｂは、三方弁５３の弁機構の閉鎖中または弁機構の開度を小さくした状態において、第４計測温度が第４設定温度を上回った場合、三方弁５３の弁機構を熱交換コイル５０側に再び開放し、または、弁機構の開度を大きくするから、第４熱交換機構１５と除湿空気との間の熱交換が再開され、または、第４熱交換機構１５と除湿空気との間の熱交換の量が多くなり、第４熱交換機構１５によって第３設定温度（目標温度）に冷却された除湿空気を除湿空調空間１９に給気することができる。
【符号の説明】
【０１２４】
１０Ａ  除湿システム
１０Ｂ  除湿システム（熱回収型ヒートポンプを備えた構成）
１１    デシカント空調機
１２    第１熱交換機構
１３    第２熱交換機構
１４    第３熱交換機構
１５    第４熱交換機構
１６    ヒーター
１７    デシカントローター（除湿機構）
１８    外調機
１９    除湿空調空間
２０    除湿処理ゾーン
２１    除湿機能再生ゾーン
２２    第１ダクト
２３    第２ダクト
２４    第３ダクト
２５    第４ダクト
２６    給気送風機
２７    排気送風機
２８    コンプレッサー（圧縮機）
２９    ヒートポンプユニット（ヒートポンプ）
３０    熱交換器
３１    凝縮器
３２    蒸発器
３６    第１コントローラ
３７    熱交換コイル
３８    循環管
３９    第１温度センサ
４０    除湿域
４１    放湿域
４２    熱交換コイル（第２熱交換機構）
４３    熱交換コイル（第３熱交換機構）
４６    三方弁（第３熱交換機構制御用）
４８    第２コントローラ
４９    第２温度センサ
５０    熱交換コイル（第４熱交換機構）
５３    三方弁（第４熱交換機構制御用）
５５    第３コントローラ
５６    第３温度センサ
５８    熱回収型ヒートポンプ
６２    熱交換コイル（熱回収型ヒートポンプ）
【図１】
2015145000.tif 000003
【図２】
2015145000.tif 000004
【図３】
2015145000.tif 000005
【図４】
2015145000.tif 000006
【図５】
2015145000.tif 000007
【図６】
2015145000.tif 000008
【図７】
2015145000.tif 000009
【図８】
2015145000.tif 000010